(57)【要約】  局におけるワイヤレス通信のための技法が説明される。局におけるワイヤレス通信のための１つの方法は、局の送信電力ヘッドルームパラメータ、局のバッファステータスレポート、局の送信パラメータ、局の受信パラメータ、チャネル品質情報、リンクパラメータ、またはそれらの組み合わせ、のうちの少なくとも１つを含む複数の制御パラメータを識別することを含む。方法は、第２の局から受信された要請フレームを識別することと、要請フレームに応答して送られるべき１つまたは複数の媒体アクセス制御（ＭＡＣ）プロトコルデータユニット（ＭＰＤＵ）を含む物理レイヤコンバージェンスプロトコル（ＰＬＣＰ）パケットデータユニット（ＰＰＤＵ）のためのリソースの割り振りを決定することと、ＭＰＤＵの少なくとも１つにおいて複数の制御パラメータのうちの１つまたは複数のパラメータを含むか否かを決定することと、第２の局にＰＰＤＵを送信することと、をさらに含み得る。
2019520767.tif 000002
【特許請求の範囲】
【請求項１】
局におけるワイヤレス通信のための方法であって、
前記局の送信電力ヘッドルームパラメータ、前記局のバッファステータスレポート、前記局の送信パラメータ、前記局の受信パラメータ、チャネル品質情報、リンクパラメータ、またはそれらの組み合わせ、のうちの少なくとも１つを含む複数の制御パラメータを識別することと、
第２の局から受信された要請フレームを識別することと、
前記要請フレームに応答して送られるべき１つまたは複数の媒体アクセス制御（ＭＡＣ）プロトコルデータユニット（ＭＰＤＵ）を含む物理レイヤコンバージェンスプロトコル（ＰＬＣＰ）パケットデータユニット（ＰＰＤＵ）のためのリソースの割り振りを決定することと、
リソースの前記割り振りに少なくとも部分的に基づいて、前記ＭＰＤＵの少なくとも１つにおいて前記複数の制御パラメータのうちの１つまたは複数の制御パラメータを含むか否かを決定することと、
前記第２の局に、前記１つまたは複数のＭＰＤＵを備える前記ＰＰＤＵを送信することと
を備える、方法。
【請求項２】
前記ＰＰＤＵは、前記第２の局または別の局によって要請されたトリガベースのＰＰＤＵフォーマットにおいて、少なくとも１つの他の局の少なくとも１つの他のＰＰＤＵを用いて送られる、請求項１に記載の方法。
【請求項３】
前記ＰＰＤＵの各ＰＰＤＵと、少なくとも１つの他のＰＰＤＵの前記１つまたは複数のＰＰＤＵとは、周波数、または空間、または時間、またはそれらの組み合わせ、のうちの少なくとも１つにおいて直交であるリソース上で送られる、請求項２に記載の方法。
【請求項４】
前記１つまたは複数のＭＰＤＵを含む前記ＰＰＤＵのためのリソースの前記割り振りを決定することは、
リソースの前記割り振りが、制御フィールドを送信するのに十分なリソースを備えるか否かを決定すること
を備える、請求項１に記載の方法。
【請求項５】
前記制御フィールドは、前記ＰＰＤＵ中の少なくとも１つのワイヤレスローカルエリアネットワーク（ＷＬＡＮ）フレームに含まれる、請求項４に記載の方法。
【請求項６】
リソースの前記割り振りは、送信の持続時間、または少なくとも１つの周波数リソース、またはスペクトルストリーム割り振り、または変調およびコーディング方式（ＭＣＳ）、またはそれらの組み合わせ、のうちの少なくとも１つを含む１つまたは複数のパラメータによって、前記要請フレームに示される、請求項４に記載の方法。
【請求項７】
前記１つまたは複数のＭＰＤＵを含む前記ＰＰＤＵのための前記制御フィールドのためのリソースの前記割り振りを決定することは、
前記制御フィールドが前記送信電力ヘッドルームパラメータのために十分なリソースを備えるか否かを決定すること
を備える、請求項４に記載の方法。
【請求項８】
前記局において前記制御パラメータの優先順位を決定すること
をさらに備える、請求項７に記載の方法。
【請求項９】
前記優先順位は、前記要請フレームの前記タイプに基づいている、請求項８に記載の方法。
【請求項１０】
前記制御パラメータの前記優先順位を決定することは、
前記ＰＰＤＵの制御情報において前記少なくとも１つの送信電力ヘッドルームパラメータを送信するための要求または前記優先順位のうちの少なくとも１つを、前記第２の局から受信すること
を備える、請求項７に記載の方法。
【請求項１１】
前記１つまたは複数の制御パラメータは、前記ＰＰＤＵに含まれる制御フィールドに含まれる、請求項１に記載の方法。
【請求項１２】
前記送信電力ヘッドルームパラメータと、前記複数の制御パラメータのうちの少なくとも１つの他のパラメータとは、前記制御フィールドの同じ制御情報サブフィールドにおいて送信される、請求項１１に記載の方法。
【請求項１３】
前記送信電力ヘッドルームパラメータは、前記制御フィールドの第１の制御情報サブフィールドにおいて送信され、前記複数の制御パラメータのうちの少なくとも１つの他のパラメータは、前記制御フィールドの第２の制御情報サブフィールドにおいて送信される、請求項１１に記載の方法。
【請求項１４】
前記複数の制御パラメータのうちの少なくとも１つにおける変更が識別され、前記制御フィールドは、前記局においてアップリンクマルチユーザモードがディセーブルにされるか否かの第１のインジケーション、または前記局においてＷＬＡＮ通信のために使用可能な送信空間ストリームの最大数の第２のインジケーション、またはそれらの組み合わせ、のうちの少なくとも１つを備える、請求項１１に記載の方法。
【請求項１５】
前記送信電力ヘッドルームパラメータは、トリガベースのＰＰＤＵの現在の変調およびコーディング方式（ＭＣＳ）の最小送信電力が前記局に到達するか否かのインジケーションを備える、請求項１１に記載の方法。
【請求項１６】
前記送信電力ヘッドルームパラメータは、前記局の最大送信電力とＷＬＡＮフレームのために前記局によって使用される送信電力との間の差のインジケーションを備える、請求項１１に記載の方法。
【請求項１７】
前記制御フィールドは、前記局の最大送信電力がトリガベースのＰＰＤＵの後続の送信を変動させるだろうか否かのインジケーションを備える、請求項１１に記載の方法。
【請求項１８】
前記ＰＰＤＵで搬送される前記送信電力ヘッドルームパラメータを備える制御フィールドの制御識別サブフィールドにおいて、前記局が即時肯定応答を搬送するトリガベースのＰＰＤＵのために要請されることを予測する第１のモード、または前記局が前記局の前記送信パラメータを識別する第２のモード、または前記局が前記局の前記受信パラメータを識別する第３のモード、または前記局が前記局の前記送信電力ヘッドルームパラメータを識別する第４のモード、またはそれらの組み合わせ、から選択される少なくとも１つのモードで前記制御フィールドが構成されるというインジケーションを送信すること
をさらに備える、請求項１に記載の方法。
【請求項１９】
前記１つまたは複数のＷＬＡＮフレームが前記要請フレームへの応答として送られるトリガベースのＰＰＤＵで搬送されるとき、前記１つまたは複数のＷＬＡＮフレームに含めるための優先度を前記送信電力ヘッドルームが有すると決定すること
をさらに備える、請求項１８に記載の方法。
【請求項２０】
局におけるワイヤレス通信のためのデバイスであって、
前記局の送信電力ヘッドルームパラメータ、前記局のバッファステータスレポート、前記局の送信パラメータ、前記局の受信パラメータ、チャネル品質情報、リンクパラメータ、またはそれらの組み合わせ、のうちの少なくとも１つを含む複数の制御パラメータを識別するためのパラメータマネージャと、
第２の局から受信された要請フレームを識別することと、前記要請フレームに応答して送られるべき１つまたは複数の媒体アクセス制御（ＭＡＣ）プロトコルデータユニット（ＭＰＤＵ）を含む物理レイヤコンバージェンスプロトコル（ＰＬＣＰ）パケットデータユニット（ＰＰＤＵ）のためのリソースの割り振りを決定することと、リソースの前記割り振りに少なくとも部分的に基づいて、前記ＭＰＤＵの少なくとも１つにおいて前記複数の制御パラメータのうちの１つまたは複数のパラメータを含むか否かを決定することと、前記第２の局に、前記１つまたは複数のＭＰＤＵを備える前記ＰＰＤＵを送信することと、を行うためのワイヤレスローカルエリアネットワーク（ＷＬＡＮ）フレームマネージャと
を備える、デバイス。
【請求項２１】
前記ＰＰＤＵは、前記第２の局または別の局によって要請されたトリガベースのＰＰＤＵフォーマットにおいて、少なくとも１つの他の局の少なくとも１つの他のＰＰＤＵを用いて送られる、請求項２０に記載のデバイス。
【請求項２２】
前記ＰＰＤＵの各ＰＰＤＵと、少なくとも１つの他のＰＰＤＵの前記１つまたは複数のＰＰＤＵとは、周波数、または空間、または時間、またはそれらの組み合わせ、のうちの少なくとも１つにおいて直交であるリソース上で送られる、請求項２１に記載のデバイス。
【請求項２３】
前記ＷＬＡＮフレームマネージャは、リソースの前記割り振りが、制御フィールドを送信するのに十分なリソースを備えるか否かをさらに決定する、請求項２０に記載のデバイス。
【請求項２４】
前記制御フィールドは、前記ＰＰＤＵ中の少なくとも１つのワイヤレスローカルエリアネットワーク（ＷＬＡＮ）フレームに含まれる、請求項２３に記載のデバイス。
【請求項２５】
リソースの前記割り振りは、送信の持続時間、または少なくとも１つの周波数リソース、またはスペクトルストリーム割り振り、または変調およびコーディング方式（ＭＣＳ）、またはそれらの組み合わせ、のうちの少なくとも１つを含む１つまたは複数のパラメータによって、前記要請フレームに示される、請求項２３に記載のデバイス。
【請求項２６】
前記ＷＬＡＮフレームマネージャは、前記制御フィールドが前記送信電力ヘッドルームパラメータのために十分なリソースを備えるか否かをさらに決定する、請求項２３に記載のデバイス。
【請求項２７】
前記ＷＬＡＮフレームマネージャは、前記局における前記複数の制御パラメータ中の前記制御パラメータの優先順位をさらに決定する、請求項２６に記載のデバイス。
【請求項２８】
前記優先順位は、前記要請フレームの前記タイプに基づいている、請求項２７に記載のデバイス。
【請求項２９】
前記ＷＬＡＮフレームマネージャは、さらに、前記ＰＰＤＵの制御情報において前記少なくとも１つの送信電力ヘッドルームパラメータを送信するための要求または前記優先順位のうちの少なくとも１つを、前記第２の局から受信する、請求項２６に記載のデバイス。
【請求項３０】
前記１つまたは複数の制御パラメータは、前記ＰＰＤＵに含まれる制御フィールドに含まれる、請求項２０に記載のデバイス。
【請求項３１】
前記送信電力ヘッドルームパラメータと、前記複数の制御パラメータのうちの少なくとも１つの他のパラメータとは、前記制御フィールドの同じ制御情報サブフィールドにおいて送信される、請求項３０に記載のデバイス。
【請求項３２】
前記送信電力ヘッドルームパラメータは、前記制御フィールドの第１の制御情報サブフィールドにおいて送信され、前記複数の制御パラメータのうちの少なくとも１つの他のパラメータは、前記制御フィールドの第２の制御情報サブフィールドにおいて送信される、請求項３０に記載のデバイス。
【請求項３３】
前記複数の制御パラメータのうちの少なくとも１つにおける変更が識別され、前記制御フィールドは、前記局においてアップリンクマルチユーザモードがディセーブルにされるか否かの第１のインジケーション、または前記局においてＷＬＡＮ通信のために使用可能な送信空間ストリームの最大数の第２のインジケーション、またはそれらの組み合わせ、のうちの少なくとも１つを備える、請求項３０に記載のデバイス。
【請求項３４】
前記送信電力ヘッドルームパラメータは、トリガベースのＰＰＤＵの現在の変調およびコーディング方式（ＭＣＳ）の最小送信電力が前記局に到達するか否かのインジケーションを備える、請求項３０に記載のデバイス。
【請求項３５】
前記送信電力ヘッドルームパラメータは、前記局の最大送信電力とＷＬＡＮフレームのために前記局によって使用される送信電力との間の差のインジケーションを備える、請求項３０に記載のデバイス。
【請求項３６】
前記制御フィールドは、前記局の最大送信電力がトリガベースのＰＰＤＵの後続の送信を変動させるか否かのインジケーションを備える、請求項３０に記載のデバイス。
【請求項３７】
前記ＷＬＡＮフレームマネージャは、前記ＰＰＤＵで搬送される前記送信電力ヘッドルームパラメータを備える制御フィールドの制御識別サブフィールドにおいて、前記局が即時肯定応答を搬送するトリガベースのＰＰＤＵのために要請されることを予測する第１のモード、または前記局が前記局の前記送信パラメータを識別する第２のモード、または前記局が前記局の前記受信パラメータを識別する第３のモード、または前記局が前記局の前記送信電力ヘッドルームパラメータを識別する第４のモード、またはそれらの組み合わせ、から選択される少なくとも１つのモードで前記制御フィールドが構成されるというインジケーションをさらに送信する、請求項２０に記載のデバイス。
【請求項３８】
前記ＷＬＡＮフレームマネージャは、前記１つまたは複数のＷＬＡＮフレームが前記要請フレームへの応答として送られるトリガベースのＰＰＤＵで搬送されるとき、前記１つまたは複数のＷＬＡＮフレームに含めるための優先度を前記送信電力ヘッドルームが有するとさらに決定する、請求項３７に記載のデバイス。
【請求項３９】
局におけるワイヤレス通信のためのデバイスであって、
前記局の送信電力ヘッドルームパラメータ、前記局のバッファステータスレポート、前記局の送信パラメータ、前記局の受信パラメータ、チャネル品質情報、リンクパラメータ、またはそれらの組み合わせ、のうちの少なくとも１つを含む複数の制御パラメータを識別するための手段と、
第２の局から受信された要請フレームを識別するための手段と、
前記要請フレームに応答して送られるべき１つまたは複数の媒体アクセス制御（ＭＡＣ）プロトコルデータユニット（ＭＰＤＵ）を含む物理レイヤコンバージェンスプロトコル（ＰＬＣＰ）パケットデータユニット（ＰＰＤＵ）のためのリソースの割り振りを決定するための手段と、
リソースの前記割り振りに少なくとも部分的に基づいて、前記ＭＰＤＵの少なくとも１つにおいて前記複数の制御パラメータのうちの１つまたは複数の制御パラメータを含むか否かを決定するための手段と、
前記第２の局に、前記１つまたは複数のＭＰＤＵを備える前記ＰＰＤＵを送信するための手段と
を備える、デバイス。
【請求項４０】
前記ＰＰＤＵは、前記第２の局または別の局によって要請されたトリガベースのＰＰＤＵフォーマットにおいて、少なくとも１つの他の局の少なくとも１つの他のＰＰＤＵを用いて送られる、請求項３９に記載のデバイス。
【請求項４１】
前記ＰＰＤＵの各ＰＰＤＵと、少なくとも１つの他のＰＰＤＵの前記１つまたは複数のＰＰＤＵとは、周波数、または空間、または時間、またはそれらの組み合わせ、のうちの少なくとも１つにおいて直交であるリソース上で送られる、請求項４０に記載のデバイス。
【請求項４２】
リソースの前記割り振りが、制御フィールドを送信するのに十分なリソースを備えるか否かを決定するための手段
をさらに備える、請求項３９に記載のデバイス。
【請求項４３】
前記制御フィールドは、前記ＰＰＤＵ中の少なくとも１つのワイヤレスローカルエリアネットワーク（ＷＬＡＮ）フレームに含まれる、請求項４２に記載のデバイス。
【請求項４４】
リソースの前記割り振りは、送信の持続時間、または少なくとも１つの周波数リソース、またはスペクトルストリーム割り振り、または変調およびコーディング方式（ＭＣＳ）、またはそれらの組み合わせ、のうちの少なくとも１つを含む１つまたは複数のパラメータによって、前記要請フレームに示される、請求項４２に記載のデバイス。
【請求項４５】
前記制御フィールドが前記送信電力ヘッドルームパラメータのために十分なリソースを備えるか否かを決定するための手段
をさらに備える、請求項４２に記載のデバイス。
【請求項４６】
前記局における前記複数の制御パラメータ中の前記制御パラメータの優先順位を決定するための手段
をさらに備える、請求項４５に記載のデバイス。
【請求項４７】
前記優先順位は、前記要請フレームの前記タイプに基づいている、請求項４６に記載のデバイス。
【請求項４８】
局におけるワイヤレス通信のためのコンピュータ実行可能コードを記憶する非一時的コンピュータ可読媒体であって、前記コードは、プロセッサによって、
前記局の送信電力ヘッドルームパラメータ、前記局のバッファステータスレポート、前記局の送信パラメータ、前記局の受信パラメータ、チャネル品質情報、リンクパラメータ、またはそれらの組み合わせ、のうちの少なくとも１つを含む複数の制御パラメータを識別することと、
第２の局から受信された要請フレームを識別することと、
前記要請フレームに応答して送られるべき１つまたは複数の媒体アクセス制御（ＭＡＣ）プロトコルデータユニット（ＭＰＤＵ）を含む物理レイヤコンバージェンスプロトコル（ＰＬＣＰ）パケットデータユニット（ＰＰＤＵ）のためのリソースの割り振りを決定することと、
リソースの前記割り振りに少なくとも部分的に基づいて、前記ＭＰＤＵの少なくとも１つにおいて前記複数の制御パラメータのうちの１つまたは複数のパラメータを含むか否かを決定することと、
前記第２の局に、前記１つまたは複数のＭＰＤＵを備える前記ＰＰＤＵを送信することと
を行うために実行可能である、非一時的コンピュータ可読媒体。
【請求項４９】
前記ＰＰＤＵは、前記第２の局または別の局によって要請されたトリガベースのＰＰＤＵフォーマットにおいて、少なくとも１つの他の局の少なくとも１つの他のＰＰＤＵを用いて送られる、請求項４８に記載の非一時的コンピュータ可読媒体。
【請求項５０】
前記ＰＰＤＵの各ＰＰＤＵと、少なくとも１つの他のＰＰＤＵの前記１つまたは複数のＰＰＤＵとは、周波数、または空間、または時間、またはそれらの組み合わせ、のうちの少なくとも１つにおいて直交であるリソース上で送られる、請求項４９に記載の非一時的コンピュータ可読媒体。
【請求項５１】
第１の局におけるワイヤレス通信のための方法であって、
第２の局に要請フレームを送信することと、
前記要請フレームに応答して前記第２の局から受信される１つまたは複数の媒体アクセス制御（ＭＡＣ）プロトコルデータユニット（ＭＰＤＵ）を含む物理レイヤコンバージェンスプロトコル（ＰＬＣＰ）パケットデータユニット（ＰＰＤＵ）において、第２の局の送信電力ヘッドルームパラメータ、または前記第２の局のバッファステータスレポート、または前記第２の局の送信パラメータ、または前記第２の局の受信電力パラメータ、チャネル品質情報、リンクパラメータ、またはそれらの組み合わせ、のうちの少なくとも１つを含む１つまたは複数の制御パラメータを受信することと、ここにおいて、前記１つまたは複数の制御パラメータは、前記ＰＰＤＵのためのリソースの割り振りに少なくとも部分的に基づいて、前記１つまたは複数のＭＰＤＵに含まれる、
前記第２の局の前記少なくとも１つの送信電力ヘッドルームパラメータ、または前記第２の局の前記バッファステータスレポート、または前記第２の局の前記送信パラメータ、または前記第２の局の前記受信パラメータ、または前記チャネル品質情報、または前記リンクパラメータ、またはそれらの組み合わせ、のうちの少なくとも１つを識別することと
を備える、方法。
【請求項５２】
前記送信電力ヘッドルームと、前記複数の制御パラメータのうちの少なくとも１つの他のパラメータとは、制御フィールドの同じ制御情報サブフィールドにおいて受信される、請求項５１に記載の方法。
【請求項５３】
前記送信電力ヘッドルームは、制御フィールドの第１の制御情報サブフィールドにおいて受信され、前記複数の制御パラメータのうちの少なくとも１つの他のパラメータは、前記制御フィールドの第２の制御情報サブフィールドにおいて受信される、請求項５１に記載の方法。
【請求項５４】
制御フィールドが受信され、および、前記第２の局においてアップリンクマルチユーザモードがディセーブルにされるか否かの第１のインジケーション、または前記第２の局においてＷＬＡＮ通信のために使用可能な送信空間ストリームの最大数の第２のインジケーション、またはそれらの組み合わせ、のうちの少なくとも１つを備える、請求項５１に記載の方法。
【請求項５５】
前記アップリンクマルチユーザモードが前記第２の局においてディセーブルにされることを、前記送信電力ヘッドルームパラメータから決定することと、
前記送信電力ヘッドルームパラメータを無効と解釈することと
をさらに備える、請求項５４に記載の方法。
【請求項５６】
前記送信電力ヘッドルームパラメータは、トリガベースのＰＰＤＵの現在の変調およびコーディング方式（ＭＣＳ）の最小送信電力が前記第２の局に到達するか否かの第２のインジケーションを備える、請求項５１に記載の方法。
【請求項５７】
前記送信電力ヘッドルームパラメータは、前記第２の局の最大送信電力とＷＬＡＮフレームのために前記第２の局によって使用される送信電力との間の差のインジケーションを備える、請求項５１に記載の方法。
【請求項５８】
制御フィールドが受信され、および前記第２の局の最大送信電力が前記第１の局によってトリガベースのＰＰＤＵの後続の受信を変動させるだろうか否かの第２のインジケーションを備える、請求項５１に記載の方法。
【請求項５９】
前記ＰＰＤＵで搬送される制御フィールドの制御識別サブフィールドにおいて、前記第２の局が即時肯定応答を搬送するトリガベースのＰＰＤＵのために要請されることを予測する第１のモード、または前記第２の局が前記第２の局の前記送信パラメータを識別する第２のモード、または前記第２の局が前記第２の局の前記受信パラメータを識別する第３のモード、または前記第２の局が前記第２の局の前記送信電力ヘッドルームパラメータを識別する第４のモード、またはそれらの組み合わせ、から選択された少なくとも１つのモードで前記制御フィールドが構成されるというインジケーションを受信すること
をさらに備える、請求項５１に記載の方法。
【請求項６０】
第１の局におけるワイヤレス通信のためのデバイスであって、
第２の局に要請フレームを送信することと、前記要請フレームに応答して前記第２の局から受信される１つまたは複数の媒体アクセス制御（ＭＡＣ）プロトコルデータユニット（ＭＰＤＵ）を含む物理レイヤコンバージェンスプロトコル（ＰＬＣＰ）パケットデータユニット（ＰＰＤＵ）において、第２の局の送信電力ヘッドルームパラメータ、または前記第２の局のバッファステータスレポート、または前記第２の局の送信パラメータ、または前記第２の局の受信電力パラメータ、チャネル品質情報、リンクパラメータ、またはそれらの組み合わせ、のうちの少なくとも１つを含む１つまたは複数の制御パラメータを受信することと、を行うためのワイヤレスローカルエリアネットワーク（ＷＬＡＮ）フレームと、ここにおいて、前記１つまたは複数の制御パラメータは、前記ＰＰＤＵのためのリソースの割り振りに少なくとも部分的に基づいて、前記１つまたは複数のＭＰＤＵに含まれる、
前記第２の局の前記少なくとも１つの送信電力ヘッドルームパラメータ、または前記第２の局の前記バッファステータスレポート、または前記第２の局の前記送信パラメータ、または前記第２の局の前記受信パラメータ、または前記チャネル品質情報、またはリンクパラメータ、またはそれらの組み合わせ、のうちの少なくとも１つを識別するためのパラメータプロセッサと
を備える、デバイス。
【請求項６１】
前記送信電力ヘッドルームと、前記複数の制御パラメータのうちの少なくとも１つの他のパラメータとは、制御フィールドの同じ制御情報サブフィールドにおいて受信される、請求項６０に記載のデバイス。
【請求項６２】
前記送信電力ヘッドルームは、制御フィールドの第１の制御情報サブフィールドにおいて受信され、前記複数の制御パラメータのうちの少なくとも１つの他のパラメータは、前記制御フィールドの第２の制御情報サブフィールドにおいて受信される、請求項６０に記載のデバイス。
【請求項６３】
制御フィールドが受信され、および前記第２の局においてアップリンクマルチユーザモードがディセーブルにされるか否かの第１のインジケーション、または前記第２の局においてＷＬＡＮ通信のために使用可能な送信空間ストリームの最大数の第２のインジケーション、またはそれらの組み合わせ、のうちの少なくとも１つを備える、請求項６０に記載のデバイス。
【請求項６４】
前記ＷＬＡＮフレームプロセッサは、
前記アップリンクマルチユーザモードが前記第２の局においてディセーブルにされることを、前記送信電力ヘッドルームパラメータから決定し、
前記送信電力ヘッドルームパラメータを無効と解釈する、
請求項６３に記載のデバイス。
【請求項６５】
前記送信電力ヘッドルームパラメータは、トリガベースのＰＰＤＵの現在の変調およびコーディング方式（ＭＣＳ）の最小送信電力が前記第２の局に到達するか否かの第２のインジケーションを備える、請求項６０に記載のデバイス。
【請求項６６】
前記送信電力ヘッドルームパラメータは、前記第２の局の最大送信電力とＷＬＡＮフレームのために前記第２の局によって使用される送信電力との間の差のインジケーションを備える、請求項６０に記載のデバイス。
【請求項６７】
制御フィールドが受信され、および前記第２の局の最大送信電力が前記第１の局によってトリガベースのＰＰＤＵの後続の受信を変動させるだろうか否かの第２のインジケーションを備える、請求項６０に記載のデバイス。
【請求項６８】
前記ＷＬＡＮフレームプロセッサは、前記ＰＰＤＵで搬送される制御フィールドの制御識別サブフィールドにおいて、前記第２の局が即時肯定応答を搬送するトリガベースのＰＰＤＵのために要請されることを予測する第１のモード、または前記第２の局が前記第２の局の前記送信パラメータを識別する第２のモード、前記第２の局が前記第２の局の前記受信パラメータを識別する第３のモード、または前記第２の局が前記第２の局の前記送信電力ヘッドルームパラメータを識別する第４のモード、またはそれらの組み合わせ、から選択される少なくとも１つのモードで前記制御フィールドが構成されるというインジケーションをさらに受信する、請求項６０に記載のデバイス。
【請求項６９】
第１の局におけるワイヤレス通信のためのデバイスであって、
第２の局に要請フレームを送信するための手段と、
前記要請フレームに応答して前記第２の局から受信される１つまたは複数の媒体アクセス制御（ＭＡＣ）プロトコルデータユニット（ＭＰＤＵ）を含む物理レイヤコンバージェンスプロトコル（ＰＬＣＰ）パケットデータユニット（ＰＰＤＵ）において、第２の局の送信電力ヘッドルームパラメータ、または前記第２の局のバッファステータスレポート、または前記第２の局の送信パラメータ、または前記第２の局の受信電力パラメータ、チャネル品質情報、リンクパラメータ、またはそれらの組み合わせ、のうちの少なくとも１つを含む１つまたは複数の制御パラメータを受信するための手段と、ここにおいて、前記１つまたは複数の制御パラメータは、前記ＰＰＤＵのためのリソースの割り振りに少なくとも部分的に基づいて、前記１つまたは複数のＭＰＤＵに含まれる、
前記第２の局の前記少なくとも１つの送信電力ヘッドルームパラメータ、または前記第２の局の前記バッファステータスレポート、または前記第２の局の前記送信パラメータ、または前記第２の局の前記受信パラメータ、または前記チャネル品質情報、または前記リンクパラメータ、またはそれらの組み合わせ、のうちの少なくとも１つを識別するための手段と
を備える、デバイス。
【請求項７０】
前記送信電力ヘッドルームと、前記複数の制御パラメータのうちの少なくとも１つの他のパラメータとは、制御フィールドの同じ制御情報サブフィールドにおいて受信される、請求項６９に記載のデバイス。
【請求項７１】
前記送信電力ヘッドルームは、制御フィールドの第１の制御情報サブフィールドにおいて受信され、前記複数の制御パラメータのうちの少なくとも１つの他のパラメータは、前記制御フィールドの第２の制御情報サブフィールドにおいて受信される、請求項６９に記載のデバイス。
【請求項７２】
制御フィールドが受信され、および前記第２の局においてアップリンクマルチユーザモードがディセーブルにされるか否かの第１のインジケーション、または前記第２の局においてＷＬＡＮ通信のために使用可能な送信空間ストリームの最大数の第２のインジケーション、またはそれらの組み合わせ、のうちの少なくとも１つを備える、請求項６９に記載のデバイス。
【請求項７３】
前記送信電力ヘッドルームパラメータは、トリガベースのＰＰＤＵの現在の変調およびコーディング方式（ＭＣＳ）の最小送信電力が前記第２の局に到達するか否かの第２のインジケーションを備える、請求項６９に記載のデバイス。
【請求項７４】
第１の局におけるワイヤレス通信のためのコンピュータ実行可能コードを記憶する非一時的コンピュータ可読媒体であって、前記コードは、プロセッサによって、
第２の局に要請フレームを送信することと、
前記要請フレームに応答して前記第２の局から受信される１つまたは複数の媒体アクセス制御（ＭＡＣ）プロトコルデータユニット（ＭＰＤＵ）を含む物理レイヤコンバージェンスプロトコル（ＰＬＣＰ）パケットデータユニット（ＰＰＤＵ）において、第２の局の送信電力ヘッドルームパラメータ、または前記第２の局のバッファステータスレポート、または前記第２の局の送信パラメータ、または前記第２の局の受信電力パラメータ、チャネル品質情報、リンクパラメータ、またはそれらの組み合わせ、のうちの少なくとも１つを含む１つまたは複数の制御パラメータを受信することと、ここにおいて、前記１つまたは複数の制御パラメータは、ＰＰＤＵのためのリソースの割り振りに少なくとも部分的に基づいて、前記１つまたは複数のＭＰＤＵに含まれる、
前記第２の局の前記少なくとも１つの送信電力ヘッドルームパラメータ、または前記第２の局の前記バッファステータスレポート、または前記第２の局の前記送信パラメータ、または前記第２の局の前記受信パラメータ、または前記チャネル品質情報、またはリンクパラメータ、またはそれらの組み合わせ、のうちの少なくとも１つを識別することと
を行うために実行可能である、非一時的コンピュータ可読媒体。
【請求項７５】
前記送信電力ヘッドルームと、前記複数の制御パラメータのうちの少なくとも１つの他のパラメータとは、制御フィールドの同じ制御情報サブフィールドにおいて受信される、請求項７４に記載の非一時的コンピュータ可読媒体。
【請求項７６】
前記送信電力ヘッドルームは、制御フィールドの第１の制御情報サブフィールドにおいて受信され、前記複数の制御パラメータのうちの少なくとも１つの他のパラメータは、前記制御フィールドの第２の制御情報サブフィールドにおいて受信される、請求項７４に記載の非一時的コンピュータ可読媒体。
【発明の詳細な説明】
【相互参照】
【０００１】
[0001]  本願特許出願は、２０１７年７月６日付で出願された「Techniques for Signaling a Transmit Power Headroom in a Control Field」と題された、Asterjadhi他による、米国特許出願第１５／６４３，３５８号、２０１７年３月２日付で出願された「Techniques for Signaling a Transmit Power Headroom in a Control Field」と題された、Asterjadhi他による、米国仮特許出願第６２／４６６，３４１号、および２０１６年７月８日付で出願された「Techniques for Signaling a Transmit Power Headroom in a Control Field」と題された、Asterjadhi他による、米国仮特許出願第６２／３６０，３０２号への優先権を主張し、その各々が本願の譲受人に譲渡されている。
【背景技術】
【０００２】
[0002]  本願は、例えば、ワイヤレス通信に関し、より具体的には、制御フィールドにおける送信電力ヘッドルームをシグナリングするための技法に関する。
【関連技術の説明】
【０００３】
[0003]  ワイヤレス通信システムは、音声、ビデオ、パケットデータ、メッセージング、ブロードキャストなどのような、様々なタイプの通信コンテンツを提供するために広く展開されている。これらのシステムは、利用可能なシステムリソース（例えば、時間、周波数、および電力）を共有することによって複数のユーザとの通信をサポートすることができる多元接続システムであり得る。ワイヤレスネットワーク、例えば、ワイヤレスフィディリティー（Ｗｉ−Ｆｉ）（すなわち、米国電気電子学会（ＩＥＥＥ）８０２．１１）ネットワークなどのワイヤレスローカルエリアネットワーク（ＷＬＡＮ）は、いくつかの（a number of）ワイヤレス局またはモバイルデバイスと通信し得るワイヤレスホストを含み得る。ワイヤレスホスト（例えば、アクセスポイント（ＡＰ）局、ソフトＡＰ局、またはスモールセルなどのワイヤレス局）は、インターネットなどのネットワークに結合され得、ワイヤレス局（ＳＴＡ）がネットワークを介して通信することを可能にし得る（あるいは、ＳＴＡがワイヤレスホストに結合されたワイヤレス局または他のデバイスと通信することを可能にする）。ワイヤレス局は、ワイヤレスホストと双方向に通信し得る。例えば、ＷＬＡＮでは、ワイヤレス局は、ダウンリンク（ＤＬ）およびアップリンク（ＵＬ）を介して、アソシエートされたワイヤレスホストと通信し得る。ＤＬ（すなわち順方向リンク）は、ワイヤレスホストからワイヤレス局への通信を搬送する通信リンクであり得、ＵＬ（すなわち逆方向リンク）は、ワイヤレス局からワイヤレスホストへの通信を搬送する通信リンクであり得る。
【０００４】
[0004]  ワイヤレス局と通信するとき、ワイヤレスホストは、ワイヤレスホストとワイヤレス局との間の通信のパラメータを決定し得る。これらのパラメータは、例えば、ダウンリンクおよび／またはアップリンクのための変調およびコーディング方式（ＭＣＳ）を含み得る。
【発明の概要】
【０００５】
[0005]  アップリンク（例えば、ＭＣＳ）におけるワイヤレス局との通信のためのパラメータのワイヤレスホストの選択は、ワイヤレスホストへの送信電力ヘッドルームのワイヤレス局の送信によって支援され得る。いくつかの例では、ワイヤレス局は、ＷＬＡＮフレームの制御フィールドにおけるその送信電力ヘッドルームのインジケーションを送信し得、ここで、制御フィールドは、追加的にまたは代替的に、変更を有する送信パラメータまたは受信パラメータを搬送し得る。いくつかの例では、ワイヤレス局は、送信電力ヘッドルームが送信される制御フィールドの同じまたは異なるサブフィールドに含まれる送信パラメータの値に基づいて、送信電力ヘッドルームを送信し得る（または、送信しない）。いくつかの例では、ワイヤレスホストは、送信電力ヘッドルームが受信される制御フィールドの同じまたは異なるサブフィールドにおいて受信された送信パラメータの値に基づいて、受信された送信電力ヘッドルームを有効または無効と見なし得る。
【０００６】
[0006]  一例では、局におけるワイヤレス通信のための方法が説明される。方法は、局の送信電力ヘッドルームパラメータ、局のバッファステータスレポート、局の送信パラメータ、局の受信パラメータ、チャネル品質情報、リンクパラメータ、またはそれらの組み合わせ、のうちの少なくとも１つを含む複数の制御パラメータを識別することを含み得る。方法は、第２の局から受信された要請フレーム（soliciting frame）を識別することと、要請フレームに応答して送られるべき１つまたは複数の媒体アクセス制御（ＭＡＣ）プロトコルデータユニット（ＭＰＤＵ）を含む物理レイヤコンバージェンスプロトコル（ＰＬＣＰ）パケットデータユニット（ＰＰＤＵ）のためのリソースの割り振り（allocation）を決定することと、ＭＰＤＵの少なくとも１つにおいて複数の制御パラメータのうちの１つまたは複数のパラメータを含むか否か（whether to include）を決定することと、第２の局に、１つまたは複数のＭＰＤＵを備えるＰＰＤＵを送信すること、をさらに含み得る。
【０００７】
[0007]  一例では、局におけるワイヤレス通信のためのデバイスが説明される。デバイスは、局の送信電力ヘッドルームパラメータ、局のバッファステータスレポート、局の送信パラメータ、局の受信パラメータ、チャネル品質情報、リンクパラメータ、またはそれらの組み合わせ、のうちの少なくとも１つを含む複数の制御パラメータを識別するためのパラメータマネージャを含み得る。デバイスはまた、第２の局から受信された要請フレームを識別することと、要請フレームに応答して送られるべき１つまたは複数のＭＰＤＵを含むＰＰＤＵのためのリソースの割り振りを決定することと、リソースの割り振りに少なくとも部分的に基づいて、ＭＰＤＵの少なくとも１つにおいて複数の制御パラメータのうちの１つまたは複数のパラメータを含むか否かを決定することと、第２の局に、１つまたは複数のＭＰＤＵを備えるＰＰＤＵを送信することと、を行うための、ＷＬＡＮフレームマネージャを含み得る。
【０００８】
[0008]  一例では、局におけるワイヤレス通信のための別のデバイスが説明される。デバイスは、局の送信電力ヘッドルームパラメータ、局のバッファステータスレポート、局の送信パラメータ、局の受信パラメータ、チャネル品質情報、リンクパラメータ、またはそれらの組み合わせ、のうちの少なくとも１つを含む複数の制御パラメータを識別するための手段を含み得る。デバイスは、第２の局から受信された要請フレームを識別するための手段と、要請フレームに応答して送られるべき１つまたは複数のＭＰＤＵを含むＰＰＤＵのためのリソースの割り振りを決定するための手段と、リソースの割り振りに少なくとも部分的に基づいて、ＭＰＤＵの少なくとも１つにおいて複数の制御パラメータのうちの１つまたは複数のパラメータを含むか否かを決定するための手段と、第２の局に、１つまたは複数のＭＰＤＵを備えるＰＰＤＵを送信するための手段と、をさらに含み得る。
【０００９】
[0009]  一例では、局におけるワイヤレス通信のためのコンピュータ実行可能コードを記憶する非一時的コンピュータ可読媒体が説明される。コードは、局の送信電力ヘッドルームパラメータ、局のバッファステータスレポート、局の送信パラメータ、局の受信パラメータ、チャネル品質情報、リンクパラメータ、またはそれらの組み合わせ、のうちの少なくとも１つを含む複数の制御パラメータを識別するためにプロセッサによって実行可能であり得る。コードは、第２の局から受信された要請フレームを識別することと、要請フレームに応答して送られるべき１つまたは複数のＭＰＤＵを含むＰＰＤＵのためのリソースの割り振りを決定することと、リソースの割り振りに少なくとも部分的に基づいて、ＭＰＤＵの少なくとも１つにおいて複数の制御パラメータのうちの１つまたは複数のパラメータを含むか否かを決定することと、第２の局に、１つまたは複数のＭＰＤＵを備えるＰＰＤＵを送信することと、をプロセッサによってさらに実行可能であり得る。
【００１０】
[0010]  上述される方法、デバイス、およびコンピュータ可読媒体のいくつかの例では、ＰＰＤＵは、第２の局または別の局によって要請されたトリガベースのＰＰＤＵフォーマットにおいて、少なくとも１つの他の局の少なくとも１つの他のＰＰＤＵを用いて送られる。いくつかの例では、ＰＰＤＵの各ＰＰＤＵと、少なくとも１つの他のＰＰＤＵの１つまたは複数のＰＰＤＵとは、周波数、または空間、または時間、またはそれらの組み合わせ、のうちの少なくとも１つにおいて直交であるリソース上で送られる。
【００１１】
[0011]  上述される方法、デバイス、およびコンピュータ可読媒体のいくつかの例は、リソースの割り振りが、制御フィールドを送信するのに十分なリソースを備えるか否か（whether）を決定するための処理、特徴、手段、またはコードをさらに含み得る。上述される方法、デバイス、およびコンピュータ可読媒体のいくつかの例では、ＰＰＤＵ中の少なくとも１つのワイヤレスローカルエリアネットワーク（ＷＬＡＮ）フレームに含まれる。いくつかの例では、リソースの割り振りは、送信の持続時間、または少なくとも１つの周波数リソース、またはスペクトル（spatial）ストリーム割り振り、または変調およびコーディング方式（ＭＣＳ）、またはそれらの組み合わせ、のうちの少なくとも１つを含む１つまたは複数のパラメータによって、要請フレームに示される。
【００１２】
[0012]  上述される方法、デバイス、およびコンピュータ可読媒体のいくつかの例は、制御フィールドが送信電力ヘッドルームパラメータのために十分なリソースを備えるか否かを決定するための処理、特徴、手段、またはコードをさらに含み得る。いくつかの例では、制御フィールドが送信電力ヘッドルームパラメータのために十分なリソースを備えるか否かを決定することは、局において制御パラメータの優先順位を決定することを含み得る。いくつかの例では、優先順位は、要請フレームのタイプに基づいているいくつかの例では、制御フィールドが送信電力ヘッドルームパラメータのために十分なリソースを備えるか否かを決定することは、ＰＰＤＵの制御情報において少なくとも１つの送信電力ヘッドルームパラメータを送信するための要求または優先順位（the prioritization or a request to transmit）のうちの少なくとも１つを、第２の局から受信することを含み得る。
【００１３】
[0013]  上述される方法、デバイス、およびコンピュータ可読媒体のいくつかの例では、１つまたは複数の制御パラメータは、ＰＰＤＵに含まれる制御フィールドに含まれる。いくつかの例では、送信電力ヘッドルームパラメータと、複数の制御パラメータのうちの少なくとも１つの他のパラメータとは、制御フィールドの同じ制御情報サブフィールドにおいて送信される。いくつかの例では、送信電力ヘッドルームパラメータは、制御フィールドの第１の制御情報サブフィールドにおいて送信され、複数の制御パラメータのうちの少なくとも１つの他のパラメータは、制御フィールドの第２の制御情報サブフィールドにおいて送信される。いくつかの例では、複数の制御パラメータのうちの少なくとも１つにおける変更が識別され、制御フィールドは、局においてアップリンクマルチユーザモードがディセーブルにされるか否かの第１のインジケーション、または局においてＷＬＡＮ通信のために使用可能な送信空間ストリームの最大数の第２のインジケーション、またはそれらの組み合わせ、のうちの少なくとも１つを備える。
【００１４】
[0014]  上述される方法、デバイス、およびコンピュータ可読媒体のいくつかの例では、送信電力ヘッドルームパラメータは、トリガベースのＰＰＤＵの現在の変調およびコーディング方式（ＭＣＳ）の最小送信電力が局に到達するか否かのインジケーションを備える。いくつかの例では、送信電力ヘッドルームパラメータは、局の最大送信電力とＷＬＡＮフレームのために局によって使用される送信電力との間の差のインジケーションを備える。
【００１５】
[0015]  上述される方法、デバイス、およびコンピュータ可読媒体のいくつかの例は、ＰＰＤＵで搬送される送信電力ヘッドルームパラメータを備える制御フィールドの制御識別サブフィールドにおいて、局が即時肯定応答（immediate acknowledgement）を搬送するトリガベースのＰＰＤＵのために要請されることを予測する第１のモード、または局が局の送信パラメータを識別する第２のモード、または局が局の受信パラメータを識別する第３のモード、または局が局の送信電力ヘッドルームパラメータを識別する第４のモード、またはそれらの組み合わせ、から選択された少なくとも１つのモードで制御フィールドが構成されるというインジケーションを送信するための処理、特徴、手段、またはコードをさらに含み得る。
【００１６】
[0016]  上述される方法、デバイス、およびコンピュータ可読媒体のいくつかの例は、１つまたは複数のＷＬＡＮフレームが要請フレームへの応答として送られるトリガベースのＰＰＤＵで搬送されるとき、１つまたは複数のＷＬＡＮフレームに含めるための優先度を送信電力ヘッドルームが有すると決定するための処理、特徴、手段、またはコードをさらに含み得る。
【００１７】
[0017]  一例では、第１の局におけるワイヤレス通信のための方法が説明される。方法は、第２の局に要請フレームを送信することと、要請フレームに応答して第２の局から受信される１つまたは複数のＭＰＤＵを含むＰＰＤＵにおいて、第２の局の送信電力ヘッドルームパラメータ、または第２の局のバッファステータスレポート、または第２の局の送信パラメータ、または第２の局の受信電力パラメータ、チャネル品質情報、リンクパラメータ、またはそれらの組み合わせ、のうちの少なくとも１つを含む１つまたは複数の制御パラメータを受信することと、を含み得る。いくつかのケースでは、１つまたは複数の制御パラメータは、ＰＰＤＵのためのリソースの割り振りに少なくとも部分的に基づいて、１つまたは複数のＭＰＤＵに含まれる。方法は、第２の局の少なくとも１つの送信電力ヘッドルームパラメータ、または第２の局のバッファステータスレポート、または第２の局の送信パラメータ、または第２の局の受信パラメータ、またはチャネル品質情報、またはリンクパラメータ、またはそれらの組み合わせ、のうちの少なくとも１つを識別することをさらに含み得る。
【００１８】
[0018]  一例では、第１の局におけるワイヤレス通信のためのデバイスが説明される。デバイスは、第２の局に要請フレームを送信することと、要請フレームに応答して第２の局から受信される１つまたは複数のＭＰＤＵを含むＰＰＤＵにおいて、第２の局の送信電力ヘッドルームパラメータ、または第２の局のバッファステータスレポート、または第２の局の送信パラメータ、または第２の局の受信電力パラメータ、チャネル品質情報、リンクパラメータ、またはそれらの組み合わせ、のうちの少なくとも１つを含む１つまたは複数の制御パラメータを送信するＷＬＡＮフレームプロセッサを含み得る。いくつかのケースでは、１つまたは複数の制御パラメータは、ＰＰＤＵのためのリソースの割り振りに少なくとも部分的に基づいて、１つまたは複数のＭＰＤＵに含まれる。デバイスはまた、第２の局の少なくとも１つの送信電力ヘッドルームパラメータ、または第２の局のバッファステータスレポート、または第２の局の送信パラメータ、または第２の局の受信パラメータ、またはチャネル品質情報、またはリンクパラメータ、またはそれらの組み合わせ、のうちの少なくとも１つを識別するためのパラメータプロセッサを含み得る。
【００１９】
[0019]  一例では、第１の局におけるワイヤレス通信のための別のデバイスが説明される。デバイスは、第２の局に要請フレームを送信するための手段と、要請フレームに応答して第２の局から受信される１つまたは複数のＭＰＤＵを含むＰＰＤＵにおいて、第２の局の送信電力ヘッドルームパラメータ、または第２の局のバッファステータスレポート、または第２の局の送信パラメータ、または第２の局の受信電力パラメータ、チャネル品質情報、リンクパラメータ、またはそれらの組み合わせ、のうちの少なくとも１つを含む１つまたは複数の制御パラメータを受信するための手段と、を含み得る。いくつかのケースでは、１つまたは複数の制御パラメータは、ＰＰＤＵのためのリソースの割り振りに少なくとも部分的に基づいて、１つまたは複数のＭＰＤＵに含まれる。デバイスは、第２の局の少なくとも１つの送信電力ヘッドルームパラメータ、または第２の局のバッファステータスレポート、または第２の局の送信パラメータ、または第２の局の受信パラメータ、またはチャネル品質情報、またはリンクパラメータ、またはそれらの組み合わせ、のうちの少なくとも１つを識別するための手段をさらに含み得る。
【００２０】
[0020]  一例では、第１の局におけるワイヤレス通信のためにコンピュータ実行可能コードを記憶する非一時的コンピュータ可読媒体が説明される。コードは、第２の局に要請フレームを送信することと、要請フレームに応答して第２の局から受信される１つまたは複数のＭＰＤＵを含むＰＰＤＵにおいて、第２の局の送信電力ヘッドルームパラメータ、または第２の局のバッファステータスレポート、または第２の局の送信パラメータ、または第２の局の受信電力パラメータ、チャネル品質情報、リンクパラメータ、またはそれらの組み合わせ、のうちの少なくとも１つを含む１つまたは複数の制御パラメータを受信することと、を行うためにプロセッサによって実行可能であり得る。いくつかのケースでは、１つまたは複数の制御パラメータは、ＰＰＤＵのためのリソースの割り振りに少なくとも部分的に基づいて、１つまたは複数のＭＰＤＵに含まれる。コードは、第２の局の少なくとも１つの送信電力ヘッドルームパラメータ、または第２の局のバッファステータスレポート、または第２の局の送信パラメータ、または第２の局の受信パラメータ、またはチャネル品質情報、またはリンクパラメータ、またはそれらの組み合わせ、のうちの少なくとも１つを識別するために、プロセッサによってさらに実行可能であり得る。
【００２１】
[0021]   上述される方法、デバイス、およびコンピュータ可読媒体のいくつかの例では、送信電力ヘッドルームと、複数の制御パラメータのうちの少なくとも１つの他のパラメータとは、制御フィールドの同じ制御情報サブフィールドにおいて受信される。
【００２２】
[0022]  上述される方法、デバイス、およびコンピュータ可読媒体のいくつかの例では、送信電力ヘッドルームは、制御フィールドの第１の制御情報サブフィールドにおいて受信され、複数の制御パラメータのうちの少なくとも１つの他のパラメータは、制御フィールドの第２の制御情報サブフィールドにおいて受信される。
【００２３】
[0023]  上述される方法、デバイス、およびコンピュータ可読媒体のいくつかの例は、アップリンクマルチユーザモードが第２の局においてディセーブルにされることを、送信電力ヘッドルームパラメータから決定することと、送信電力ヘッドルームパラメータを無効と解釈することと、を行うための処理、特徴、手段、またはコードをさらに含み得る。上述される方法、デバイス、およびコンピュータ可読媒体のいくつかの例では、送信電力ヘッドルームパラメータは、トリガベースのＰＰＤＵの現在の変調およびコーディング方式（ＭＣＳ）の最小送信電力が第２の局に到達するか否かの第２のインジケーションを備える。
【００２４】
[0024]  上述される方法、デバイス、およびコンピュータ可読媒体のいくつかの例では、送信電力ヘッドルームパラメータは、第２の局の最大送信電力とＷＬＡＮフレームのために第２の局によって使用される送信電力との間の差のインジケーションを備える。いくつかの例では、制御フィールドが受信され、かつ第２の局の最大送信電力が第１の局によってトリガベースのＰＰＤＵの後続の受信を変動させるだろうか否かの第２のインジケーションを備える。
【００２５】
[0025]  上述される方法、デバイス、およびコンピュータ可読媒体のいくつかの例は、ＰＰＤＵで搬送される制御フィールドの制御識別サブフィールドにおいて、第２の局が即時肯定応答を搬送するトリガベースのＰＰＤＵのために要請されることを予測する第１のモード、または第２の局が第２の局の送信パラメータを識別する第２のモード、または第２の局が第２の局の受信パラメータを識別する第３のモード、または第２の局が第２の局の送信電力ヘッドルームパラメータを識別する第４のモード、またはそれらの組み合わせ、から選択される少なくとも１つのモードで制御フィールドが構成されるとのインジケーションを受信するための処理、特徴、手段、またはコードをさらに含み得る。
【００２６】
[0026]  前述のものは、以下の詳細な説明がより良く理解され得るように、本開示に従った例の特徴および技術的利点をやや広く概説している。さらなる特徴および利点が以下に説明される。開示される概念および具体的な例は、本開示と同じ目的を実行するために、他の構造を改良または設計するための基礎として容易に利用され得る。そのような等価な構造は、添付された特許請求の範囲から逸脱しない。本明細書に開示される概念の特性は、関連する利点とともに、それらの構成および動作の方法の両方が、添付の図に関連して検討されるとき、以下の説明からよりよく理解されるだろう。図の各々は、例示および説明のみを目的として提供されており、特許請求の範囲の限定の定義としては提供されない。
【図面の簡単な説明】
【００２７】
[0027]  本開示の態様は、以下の図面を参照して説明される。
【図１】[0028]  図１は、本開示の様々な態様に従った、ＷＬＡＮ（ワイヤレスフィディリティー（Ｗｉ−Ｆｉ）ネットワークとしても知られている）を例示する。
【図２】[0029]  図２は、本開示の様々な態様に従った、送信局から受信局に送信され得るＷＬＡＮフレームの例を示す。
【図３】[0030]  図３は、本開示の様々な態様に従った、送信局から受信局に送信され得るＷＬＡＮフレームの例を示す。
【図４】[0031]  図４は、本開示の様々な態様に従った、局（例えば、ＷＬＡＮ局）におけるワイヤレス通信のために使用されるデバイスのブロック図を示す。
【図５】[0032]  図５は、本開示の様々な態様に従った、局（例えば、ＷＬＡＮ局）を含むシステムの図を示す。
【図６】[0033]  図６は、本開示の様々な態様に従った、第１の局（例えば、ＷＬＡＮ ＡＰ局）におけるワイヤレス通信のために使用されるデバイスのブロック図を示す。
【図７】[0034]  図７は、本開示の様々な態様に従った、ＡＰ局（例えば、ＷＬＡＮ ＡＰ局）を含むシステムの図を示す。
【図８】[0035]  図８は、本開示の様々な態様に従った、局（例えば、ＷＬＡＮ局）におけるワイヤレス通信のための方法を例示するフローチャートを示す。
【図９】[0036]  図９は、本開示の様々な態様に従った、局（例えば、ＷＬＡＮ局）におけるワイヤレス通信のための方法を例示するフローチャートを示す。
【図１０】[0037]  図１０は、本開示の様々な態様に従った、局（例えば、ＷＬＡＮ局）におけるワイヤレス通信のための方法を例示するフローチャートを示す。
【図１１】[0038]  図１１は、本開示の様々な態様に従った、局（例えば、ＷＬＡＮ局）におけるワイヤレス通信のための方法を例示するフローチャートを示す。
【図１２】[0039]  図１２は、本開示の様々な態様に従った、第１の局（例えば、ＷＬＡＮ ＡＰ局）におけるワイヤレス通信のための方法を例示するフローチャートを示す。
【図１３】[0040]  図１３は、本開示の様々な態様に従った、第１の局（例えば、ＷＬＡＮ ＡＰ局）におけるワイヤレス通信のための方法を例示するフローチャートを示す。
【詳細な説明】
【００２８】
[0041]  ＷＬＡＮでは、ワイヤレスホスト（例えば、ＡＰ局、ソフトＡＰ、またはスモールセルなどの局）は、１つまたは複数のワイヤレス局（他の局）に要請（soliciting）フレーム（例えば、トリガフレーム）を送り得る。トリガフレームを受信するワイヤレス局は、アップリンク（ＵＬ）マルチユーザ（ＭＵ）モードに従って送られるパケットを用いて（with）、ショートフレーム間隔（ＳＩＦＳ）時間内に、ワイヤレスホストに応答し得る。トリガフレームは、ワイヤレス局がＭＵパケットのその部分を送信するために使用するパラメータ（例えば、ＭＣＳリソースユニット、いくつかのスペクトルストリーム（Ｎｓｓ）、持続時間など）を示し得る（A trigger frame may indicate parameters (e.g., an MCS, resource units, a number of spatial streams (Nss), a duration, etc.) that a wireless station uses to transmit its portion of a MU packet.）。ＭＵパケットは、複数のユーザ（すなわち、局）からの送信を含み、それら送信は、周波数、空間、および時間において多重化される。
【００２９】
[0042]  本願で説明される技法は、ワイヤレス局がＭＵパケットのその部分を送信するために使用するパラメータを選択する際に（in selecting the parameters that the wireless station uses to transmit its portion of a MU packet）有用であり得るパラメータを、ワイヤレス局がワイヤレスホストに送信することを可能にする。ワイヤレス局がワイヤレスホストに送信し得るパラメータは、例えば、ワイヤレスホストがＵＬ ＭＵ送信に参加することを希望する（wants）か否かのインジケーションを含み得、そうである場合、ワイヤレス局の送信電力ヘッドルームおよび／またはＵＬ ＭＵ送信のためにワイヤレスホストが使用するであろう（will use）空間ストリームの最大数を含み得る。
【００３０】
[0043]  本開示の態様は初めに、ワイヤレス通信システムのコンテキストにおいて説明される。次に、具体的な例が、ワイヤレス局（例えば、局）およびワイヤレスホスト（例えば、ＡＰ局）と、ワイヤレス局またはワイヤレスホストに含まれ得るデバイスとの動作について説明される。本開示のこれらのおよび他の態様は、追加的にまたは代替的に、局間のＷＬＡＮフレームを送信することに関する装置図、システム図、処理フロー、およびフローチャートによって説明され、かつそれらを参照して説明される。
【００３１】
[0044]  図１は、本開示の様々な態様に従った、ＷＬＡＮ１００（ワイヤレスフィディリティー（Ｗｉ−Ｆｉ）ネットワークとしても知られている）を例示する。ＷＬＡＮ１００は、ワイヤレスホスト１１５−ａ（例えば、ＡＰ局、ソフトＡＰ局、またはスモールセルなどのワイヤレス局（ＳＴＡ））と複数のアソシエートされたＳＴＡ１１５とを含み得る。ワイヤレス局１１５は、モバイル局、パーソナルデジタルアシスタント（ＰＤＡ）、他のハンドヘルドデバイス、ネットブックコンピュータ、ノートブックコンピュータ、タブレットコンピュータ、ラップトップコンピュータ、ディスプレイデバイス（例えば、ＴＶ、コンピュータモニタなど）、プリンタ、ゲーム機、モノのインターネット（ＩｏＴ：Internet of Things）デバイスなどのようなデバイスを表し得る。ワイヤレスホスト１１５−ａおよびアソシエートされたワイヤレス局１１５は、基本サービスセット（ＢＳＳ：Basic Service Set）または拡張サービスセット（ＥＳＳ：Extended Service Set）を表し得る。ネットワーク中の様々なワイヤレス局１１５は、ワイヤレスホスト１１５−ａを通して、互いと通信し得るか、またはワイヤレスワイドエリアネットワーク（ＷＷＡＮ；例えば、インターネットまたはセルラネットワーク）と通信し得る。また、ワイヤレスホスト１１５−ａのカバレッジエリア１１０が示され、これは、ＷＬＡＮ１００の基本サービスエリア（ＢＳＡ：Basic Service Area）を表わし得る。ＷＬＡＮ１００とアソシエートされた拡張ネットワーク局（図示せず）は、複数の（multiple）ワイヤレスホスト１１５−ａがＥＳＳにおいて接続されることを可能にし得るワイヤードまたはワイヤレス分配システムに接続され得る。
【００３２】
[0045]  図１には示されていないが、ワイヤレス局１１５は、１より多いカバレッジエリア１１０の交差部（intersection）に位置し得、１より多いワイヤレスホスト１１５−ａに関連付けられ得る。単一のワイヤレスホスト１１５−ａとワイヤレス局１１５のアソシエートされたセットとは、ＢＳＳと呼ばれ得る。ＥＳＳは、接続されたＢＳＳのセットである。分配システム（ＤＳ）（図示せず）は、ＥＳＳ中でワイヤレスホスト１１５−ａを接続するために使用され得る。いくつかのケースでは、ワイヤレスホスト１１５−ａのカバレッジエリア１１０は、複数のセクタ（sectors）に分割され得る（これもまた図示せず）。ＷＬＡＮ１００は、（例えば、大都市エリア、家庭内ネットワークなどの）異なるタイプのワイヤレスホスト１１５−ａを、可変のおよびオーバーラップする（varying and overlapping）カバレッジエリア１１０とともに（with）、含み得る。２つのワイヤレス局１１５は、両方のワイヤレス局１１５が同じカバレッジエリア１１０にあるか否かに関わらず、ワイヤレスホスト１１５−ａを介して間接的に、またはダイレクトワイヤレスリンク１２５を介して直接通信し得る。ダイレクトワイヤレスリンク１２５の例は、Ｗｉ−Ｆｉダイレクト接続、Ｗｉ−Ｆｉトンネルダイレクトリンクセットアップ（ＴＤＬＳ：Tunneled Direct Link Setup）リンク、および他のグループ接続を含み得る。ワイヤレス局１１５およびワイヤレスホスト１１５−ａは、ＩＥＥＥ８０２．１１、および８０２．１１ｂ、８０２．１１ｇ、８０２．１１ａ、８０２．１１ｎ、８０２．１１ａｃ、８０２．１１ａｄ、８０２．１１ａｈなどを含むが、それらに限定されないバージョンからの（from）物理（ＰＨＹ）および媒体アクセス制御（ＭＡＣ）レイヤについての（for）ＷＬＡＮ無線およびベースバンドプロトコルに従って通信し得る。他の実装では、ピアツーピア接続またはアドホックネットワークがＷＬＡＮ１００内に実装され得る。
【００３３】
[0046]  ワイヤレスホスト１１５−ａは、ビーコンフレームとして知られるフレームを周期的に送信し得る。ビーコンフレームは、ＷＬＡＮに関連した情報を含み得る。例えば、ビーコンフレームは、同期のためのタイムスタンプ、ビーコンフレームの周期性を示すインターバル（従って、ターゲットビーコン送信時間（ＴＢＴＴ：target beacon transmission time））、ネットワークの性能（capabilities）に関連した情報、サービスセット識別子（ＳＳＩＤ：service set identifier）、サポートレート、周波数ホッピングパラメータ、ダイレクトシーケンスパラメータ、競合なしの（contention-free）アクセスパラメータ、独立したＢＳＳ（ＩＢＳＳ：independent BSS）パラメータ、および／またはトラフィックインジケーションマップ（ＴＩＭ：traffic indication map）を含み得る。ＴＩＭは、ワイヤレス局１１５を待っているフレームをワイヤレスホスト１１５−ａがバッファしているか否かを、クライアントワイヤレス局１１５に示し得る。いくつかのケースでは、ビーコンフレームは、追加的にまたは代替的に、配信トラフィックインジケーションメッセージ（ＤＴＩＭ：delivery traffic indication message）を含み得、それは、クライアントワイヤレス局１１５にペンディング中のブロードキャストまたはマルチキャスト送信について通知し得る。ＴＩＭまたはＤＴＩＭの後に、ワイヤレスホスト１１５−ａは、ＣＳＭＡ／ＣＡ（carrier sense multiple access with collision avoidance）を使用して、示されたデータを送信し得る。いくつかのケースでは、ワイヤレス局１１５は、電力を節約するために、ビーコンフレーム送信の間にスリープモードに入り得る。
【００３４】
[0047]  ワイヤレスホスト１１５−ａは、いくつかの例では、ワイヤレスホスト１１５−ａによって送信される要請フレームに応答してワイヤレス局１１５から受信されたＰＰＤＵに含まれる１つまたは複数のＷＬＡＮフレーム中で搬送される制御フィールドにおいて、ワイヤレス局１１５の少なくとも１つの送信電力パラメータを識別する第１の情報、あるいは、ワイヤレス局１１５のＢＳＲ、またはワイヤレス局１１５の少なくとも１つの送信パラメータ、またはワイヤレス局１１５の少なくとも１つの受信電力パラメータ、またはＣＱＩ、または少なくとも１つのリンクパラメータ、またはそれらの組み合わせ、のうちの少なくとも１つを識別する第２の情報のうちの少なくとも１つを受信するために使用され得るワイヤレス通信マネージャ６２０を含み得る。少なくとも１つの送信電力パラメータは、ワイヤレス局１１５の送信電力ヘッドルームを含み得る。ワイヤレス通信マネージャ６２０はまた、ワイヤレス局１１５の少なくとも１つの送信電力パラメータ、またはワイヤレス局１１５のＢＳＲ、またはワイヤレス局１１５の少なくとも１つの送信パラメータ、ワイヤレス局１１５の少なくとも１つの受信パラメータ、またはＣＱＩ、または少なくとも１つのリンクパラメータ、またはそれらの組み合わせ、のうちの少なくとも１つを識別するために、ワイヤレスホスト１１５−ａによって使用され得る。
【００３５】
[0048]  ワイヤレス局１１５−ｂは、いくつかの例では、およびワイヤレス局１１５−ｂの少なくとも１つの送信電力パラメータと、ワイヤレス局１１５−ｂのＢＳＲ、またはワイヤレス局１１５−ｂの少なくとも１つの送信パラメータ、またはワイヤレス局１１５−ｂの少なくとも１つの受信パラメータ、またはＣＱＩ、または少なくとも１つのリンクパラメータ、またはそれらの組み合わせ、のうちの少なくとも１つとを含む複数の制御パラメータを識別するために使用され得るワイヤレス通信マネージャ４２０を含み得る。少なくとも１つの送信電力パラメータは、ワイヤレス局１１５−ｂの送信電力ヘッドルームを含み得る。ワイヤレス通信マネージャ４２０はまた、ワイヤレスホスト１１５から受信された要請フレームに応答して送られるＰＰＤＵに含まれ得る１つまたは複数のＷＬＡＮフレーム中で搬送される制御フィールドにおいて、少なくとも１つの送信電力パラメータを識別する第１の情報を送信するために、ワイヤレス局１１５−ｂによって使用され得る。
【００３６】
[0049]  図２は、本開示の様々な態様に従った、送信局から受信局に送信され得るＷＬＡＮフレーム２０５（例えば、媒体アクセス制御（ＭＡＣ）プロトコルデータユニット（ＭＰＤＵ））の例を示す。送信局は、図１を参照して説明される局（例えば、ワイヤレスホスト１１５−ａまたはワイヤレス局１１５−ｂ）のうちの１つであり得、受信局は、図１を参照して説明される局の別の１つであり得る。ＷＬＡＮフレーム２０５は、非ＡＰ局またはＡＰ局によって送信され得る。
【００３７】
[0050]  示されるように、ＷＬＡＮフレーム２０５は、制御フィールド２１０を含む。制御フィールド２１０は、高効率（ＨＥ：High Efficiency）制御フィールドであり得、いくつかのケースでは、ＨＥアグリゲート（Ａ）制御フィールド（HE Aggregated (A)-control field）に含まれる複数の制御フィールドのうちの１つであり得る。制御フィールド２１０は、制御識別子（ＩＤ:control identification）サブフィールド２１５と、任意の（optional）制御情報サブフィールド２２０とを含む、複数のサブフィールドを含む。制御ＩＤサブフィールド２１５は、制御フィールド２１０が構成されるモードを示す。例えば、制御ＩＤサブフィールド２１５は、制御情報サブフィールド２２０がＷＬＡＮフレーム２０５の制御フィールド２１０において送信されていることを示す第１の値（例えば、「１」）、または制御情報サブフィールド２２０がＷＬＡＮフレーム２０５の制御フィールド２１０において送信されていないことを示す第２の値（例えば、「０」）を搬送し得る。いくつかの例では、制御情報サブフィールド２２０は、送信局（すなわち、ＷＬＡＮフレームを送信する局）の動作モード変更（operating mode change）をシグナリングするために送信され得、送信局が信号への動作モード変更を有していないときに送信されない可能性がある（may）。
【００３８】
[0051]  制御情報サブフィールド２２０がＷＬＡＮフレーム２０５の制御フィールド２１０において送信されるとき、制御情報サブフィールド２２０は、複数の追加のサブフィールドを含むフォーマットを有する。複数の追加のサブフィールドは、受信（Ｒｘ）ＮＳＳサブフィールド２２５（例えば、３ビットサブフィールド）、Ｒｘチャネル幅サブフィールド２３０（例えば、２ビットサブフィールド）、ＵＬ ＭＵディセーブルサブフィールド２３５（例えば、１ビットサブフィールド）、送信（Ｔｘ）ＮＳＳサブフィールド２４０（例えば、３ビットサブフィールド）、Ｔｘ電力フラグサブフィールド２４５（例えば、１ビットサブフィールド）、電力ヘッドルームサブフィールド２５０（例えば、５ビットサブフィールド）、および任意で、いくつかの予約されたビット２５５を含む。Ｒｘ ＮＳＳサブフィールド２２５およびＲｘチャネル幅サブフィールド２３０は、送信局の少なくとも１つの受信パラメータにおける変更を識別する情報を送信するために、送信局によって使用される。ＵＬ ＭＵディセーブルサブフィールド２３５およびＴｘＮＳＳサブフィールド２４０は、送信局の少なくとも１つの送信パラメータにおける変更を識別する情報を送信するために、送信局によって使用される。Ｔｘ電力フラグサブフィールド２４５および電力ヘッドルームサブフィールド２５０は、送信局の少なくとも１つの送信電力パラメータを識別する情報を送信するために使用される。
【００３９】
[0052]  Ｒｘ ＮＳＳサブフィールド２２５は、送信局が受信することができる空間ストリームの最大数、ＮＳＳ（maximum number of spatial streams, Nss）を示し、ＮＳＳ−１の値に設定される。
【００４０】
[0053]  Ｒｘチャネル幅サブフィールド２３０は、受信モードで動作するとき送信局によってサポートされる動作チャネル幅を示し、２０ＭＨｚについては０、４０ＭＨｚについては１、８０ＭＨｚについては２、および１６０ＭＨｚ（例えば、８０ＭＨｚ＋８０ＭＨｚ）については３に設定される。
【００４１】
[0054]  送信局が非ＡＰ局であるとき、ＵＬ ＭＵディセーブルサブフィールド２３５は、ＵＬ ＭＵ動作が送信局によって停止される（suspended）か、または再開される（resumed）か否かを示す。ＵＬ ＭＵディセーブルサブフィールド２３５は、ＵＬ ＭＵ動作が停止されることを示すために１に設定され、そうでなければ、ＵＬ ＭＵ動作が再開されることを示すために０に設定される。送信局がＡＰ局であるとき、ＵＬ ＭＵディセーブルサブフィールド２３５は、０に設定される。
【００４２】
[0055]  Ｔｘ ＮＳＳサブフィールド２４０は、送信局が受信することができる空間ストリームの最大数、ＮＳＳを示し、ＮＳＳ−１の値に設定される。
【００４３】
[0056]  送信局が非ＡＰ局であるとき、Ｔｘ電力フラグサブフィールド２４５は、送信局における変動または送信電力制限が存在するか否かを示す。Ｔｘ電力フラグサブフィールド２４５は、現在のトリガベースの物理レイヤコンバージェンスプロトコル（ＰＬＣＰ）パケットデータユニット（ＰＰＤＵ）の現在の変調およびコーディング方式（ＭＣＳ）の最小送信電力が送信局に到達することを示すために、または送信局の最大送信電力が現在の非トリガベースのＰＰＤＵの後続の（following）送信を変動させ（fluctuate）得ることを示すために１に設定されるか、そうでなければ、０に設定される。
【００４４】
[0057]  電力ヘッドルームサブフィールド２５０は、現在のＷＬＡＮフレーム２０５の送信に関して、ｄＢの単位で、利用可能な送信電力ヘッドルーム（ＨＲＳＴＡ）を示す。送信電力ヘッドルームは、  
【００４５】
【数１】
2019520767.tif 000003
【００４６】
のように計算され得、ここで、  
【００４７】
【数２】
2019520767.tif 000004
【００４８】
は、ターゲット受信信号強度インジケータ（ＲＳＳＩ）値が１２７であるときに送信局によって到達する（be reached）ことができる潜在的な送信電力であり（すなわち、  
【００４９】
【数３】
2019520767.tif 000005
【００５０】
が現在のＭＣＳおよびＰＰＤＵについての（for）最大送信電力であり）、  
【００５１】
【数４】
2019520767.tif 000006
【００５２】
は、現在のＷＬＡＮフレーム２０５においてＰＰＤＵを送信するためにＳＴＡによって使用される送信電力である。
【００５３】
[0058]  送信局が非ＡＰ局であるとき、送信局は、様々な方法で送信局の少なくとも１つの送信パラメータにおける変更を示し得る。送信局は、送信局においてＵＬ ＭＵ動作の停止を示すためにＵＬ ＭＵディセーブルサブフィールド２３５を１に設定し得、そうでなければ、ＵＬ ＭＵディセーブルサブフィールド２３５は、送信局におけるＵＬ ＭＵ動作の再開、またはそれに変更がないことを示すために、０に設定される。送信局は、トリガフレームに応答して、送信局が使用されるであろう空間ストリームの最大数、ＮＳＳを示すために、Ｔｘ ＮＳＳサブフィールド２４０を設定し得る。送信局は、送信局の最大送信電力が現在の非トリガベースのＰＰＤＵの後続の送信を変動させることを示すために、ＴＸ電力フラグサブフィールド２４５を１に設定し得、そうでなければ、Ｔｘ電力フラグサブフィールド２４５を０に設定し得る。送信局は、現在のＭＣＳの最小送信電力が送信局に到達する（be reached）ことを示すために、制御フィールド２１０が現在のトリガベースのＰＰＤＵのＨＥ Ａ−制御フィールド（HE A-control field）で搬送されるとき、Ｔｘ電力フラグサブフィールド２４５を１に、追加的にまたは代替的に、設定し得る。送信局は、現在のＷＬＡＮフレーム２０５の送信に関連して、利用可能な送信電力ヘッドルームを示すために、電力ヘッドルームサブフィールド２５０を設定し得る。
【００５４】
[0059]  制御情報サブフィールド２２０を含む、ＷＬＡＮフレーム２０５を成功裏に（successfully）受信する受信局は、ＵＬ ＭＵディセーブルサブフィールド２３５が１に設定されるとき、送信局を、次の送信機会（ＴｘＯＰ）のためのＵＬ ＭＵ動作に参加しないものと見なし（consider）得、ＵＬ ＭＵディセーブルサブフィールド２３５が１に設定されるとき、Ｔｘ ＮＳＳサブフィールド２４０および電力ヘッドルームサブフィールド２５０における値を無効と見なし得る。受信局は、ＵＬ ＭＵディセーブルサブフィールド２３５が０に設定されるとき、送信局を、次のＴｘＯＰのためのＵＬ ＭＵ動作に参加するものと見なし得、ＵＬ ＭＵディセーブルサブフィールドが０に設定されるとき、送信局が送信することができる空間ストリームの最大数を、Ｔｘ ＮＳＳサブフィールド２４０における値に等しいものと見なし得る。受信局は、Ｔｘ電力フラグサブフィールド２４５が１に設定され、制御フィールド２１０が非トリガベースのＰＰＤＵで搬送されるとき、送信局を、次のＴｘＯＰのための送信電力変動を有すると見なし（consider the transmitting station to have transmit power fluctuations for subsequent TxOPs）得、Ｔｘ電力フラグサブフィールドが１に設定され、制御フィールド２１０がトリガベースのＰＰＤＵで搬送されるとき、送信局を、現在のＭＣＳの最小送信電力に到達したと見なし（consider the transmitting station to have reached a minimum transmit power of the current MCS）得る。ＵＬ ＭＵディセーブルサブフィールド２３５およびＴｘ電力フラグサブフィールドの両方が０に設定され、制御フィールド２１０が非トリガベースのＰＰＤＵで搬送されるとき、受信局は、送信局のためのＭＣＳを選択するときに電力ヘッドルームサブフィールド２５０において示される送信電力ヘッドルームを考慮し（consider）得る。ＵＬ ＭＵディセーブルサブフィールド２３５が０に設定され、制御フィールド２１０がトリガベースのＰＰＤＵで搬送されるとき、受信局は、送信局のためのＭＣＳを選択するときに電力
ヘッドルームサブフィールド２５０において示される送信電力ヘッドルームを考慮し得る。
【００５５】
[0060]  図３は、本開示の様々な態様に従った、送信局から受信局に送信され得るＷＬＡＮフレーム３０５（例えば、ＭＰＤＵ）の例を示す。送信局は、図１を参照して説明される局（例えば、ワイヤレスホスト１１５−ａまたはワイヤレス局１１５−ｂ）のうちの１つであり得、受信局は、図１を参照して説明される局の別の１つであり得る。ＷＬＡＮフレーム３０５は、非ＡＰ局またはＡＰ局によって送信され得る。
【００５６】
[0061]  示されるように、ＷＬＡＮフレーム３０５は、制御フィールド３１０を含む。制御フィールド３１０は、ＨＥ制御フィールドであり得、いくつかのケースでは、ＨＥ−Ａ制御フィールドに含まれる複数の制御フィールドのうちの１つであり得る。制御フィールド３１０は、制御ＩＤサブフィールド３１５、任意の第１の制御情報サブフィールド３２０−ａ、任意の第２の制御情報サブフィールド３２０−ｂを含む、複数のサブフィールドを含む。制御ＩＤサブフィールド３１５は、制御フィールド３１０が構成される少なくとも１つのモードを示す。例えば、制御ＩＤサブフィールド３１５は、即時肯定応答（immediate acknowledgement）を搬送するＵＬ ＭＵ ＰＰＤＵを送信局が予測する（expects）第１のモードで制御フィールド３１０が構成されることを示す第１の値（例えば、「０」）、送信局が送信局の受信パラメータにおける変更（change）を示す（およびＷＬＡＮフレーム３０５の制御フィールド３１０において、第１の制御情報サブフィールド３２０−ａを送信する）第２のモードで制御フィールド３１０が構成されることを示す第２の値（例えば、「１」）、送信局が送信局の送信パラメータにおける変更を示す（およびＷＬＡＮフレーム３０５の制御フィールド３１０において、第１の制御情報サブフィールド３２０−ａを送信する、およびＨＥリンク適応プロシージャに後続する）第３のモードで制御フィールド３１０が構成されることを示す第３の値（例えば、「２」）、および／または送信局が送信局の送信電力パラメータを識別する（およびＷＬＡＮフレーム３０５の制御フィールド３１０において第２の制御情報サブフィールド３２０−ｂを送信する、およびＵＬ ＭＵ動作プロシージャに後続する）第４のモードで制御フィールド３１０が構成されることを示す第４の値（例えば、「４」）を搬送し得る。
【００５７】
[0062]  第１の制御情報サブフィールド３２０−ａがＷＬＡＮフレーム３０５の制御フィールド３１０において送信されるとき、第１の制御情報サブフィールド３２０−ａは、複数の追加のサブフィールドを含むフォーマットを有する。複数の追加のサブフィールドは、Ｒｘ ＮＳＳサブフィールド３２５（例えば、３ビットサブフィールド）、Ｒｘチャネル幅サブフィールド３３０（例えば、２ビットサブフィールド）、ＵＬ ＭＵディセーブルサブフィールド３３５（例えば、１ビットサブフィールド）、Ｔｘ ＮＳＳサブフィールド３４０（例えば、３ビットサブフィールド）、Ｔｘ電力フラグサブフィールド３４５（例えば、１ビットサブフィールド）、および任意で、いくつかの予約されたビット３５５−ａを含む。Ｒｘ ＮＳＳサブフィールド３２５およびＲｘチャネル幅サブフィールド３３０は、送信局の少なくとも１つの受信パラメータにおける変更を識別する情報を送信するために、送信局によって使用される。ＵＬ ＭＵディセーブルサブフィールド３３５およびＴｘ ＮＳＳサブフィールド３４０は、送信局の少なくとも１つの送信パラメータにおける変更を識別する情報を送信するために、送信局によって使用される。Ｔｘ電力フラグサブフィールド３４５は、送信局の少なくとも１つの送信電力パラメータを識別する情報を送信するために使用される。
【００５８】
[0063]  Ｒｘ ＮＳＳサブフィールド３２５は、送信局が受信することができる空間ストリームの最大数、ＮＳＳを示し、ＮＳＳ−１の値に設定される。
【００５９】
[0064]  Ｒｘチャネル幅サブフィールド３３０は、受信モードで動作するとき送信局によってサポートされる動作チャネル幅を示し、２０ＭＨｚについては０、４０ＭＨｚについては１、８０ＭＨｚについては２、および１６０ＭＨｚ（例えば、８０ＭＨｚ＋８０ＭＨｚ）については３に設定される。
【００６０】
[0065]  送信局が非ＡＰ局であるとき、ＵＬ ＭＵディセーブルサブフィールド３３５は、ＵＬ ＭＵ動作が送信局によって停止されるか、または再開されるかを示す。ＵＬ ＭＵディセーブルサブフィールド３３５は、ＵＬ ＭＵ動作が停止されることを示すために１に設定され、そうでなければ、ＵＬ ＭＵ動作が再開されることを示すために０に設定される。送信局がＡＰ局であるとき、ＵＬ ＭＵディセーブルサブフィールド３３５は、０に設定される。
【００６１】
[0066]  Ｔｘ ＮＳＳサブフィールド３４０は、送信局が受信することができる空間ストリームの最大数、ＮＳＳを示し、ＮＳＳ−１の値に設定される。
【００６２】
[0067]  送信局が非ＡＰ局であるとき、Ｔｘ電力フラグサブフィールド３４５は、送信局において送信電力変動が存在するか否かを示す。Ｔｘ電力フラグサブフィールド３４５は、送信局の最大送信電力が現在の非トリガベースのＰＰＤＵの後続の送信を変動させるだろうことを示すために１に設定され、そうでなければ、０に設定される。
【００６３】
[0068]  第２の制御情報サブフィールド３２０−ｂがＷＬＡＮフレーム３０５の制御フィールド３１０において送信されるとき、第２の制御情報サブフィールド３２０−ｂは、電力ヘッドルームサブフィールド３５０（例えば、６ビットサブフィールド）、および任意で、いくつかの予約されたビット３５５−ｂを含むフォーマットを有する。電力ヘッドルームサブフィールド３５０は、送信局の少なくとも１つの送信電力パラメータを識別する情報を送信するために使用される。電力ヘッドルームサブフィールド３５０は、第１の部分（例えば、最下位の５ビット）と、第２の部分（例えば、最上位ビット）とを含む。第１の部分は、現在のＷＬＡＮフレーム３０５の送信に関して、ｄＢの単位で、利用可能な送信電力ヘッドルーム（ＨＲＳＴＡ）を示すために使用される。送信電力ヘッドルームは、  
【００６４】
【数５】
2019520767.tif 000007
【００６５】
のように計算され得、ここで、  
【００６６】
【数６】
2019520767.tif 000008
【００６７】
は、ターゲットＲＳＳＩ値が１２７であるときに送信局によって到達されることができる潜在的な送信電力であり（すなわち、  
【００６８】
【数７】
2019520767.tif 000009
【００６９】
が現在のＭＣＳおよびＰＰＤＵについての最大送信電力であり）、  
【００７０】
【数８】
2019520767.tif 000010
【００７１】
は、現在のＷＬＡＮフレーム３０５においてＰＰＤＵを送信するためにＳＴＡによって使用される送信電力である。第２の部分は、現在のトリガベースのＰＰＤＵの現在のＭＣＳの最小送信電力が送信局に到達するか否かを示すために使用され、最小送信電力に到達したときに１に設定され、そうでなければ、０に設定される。
【００７２】
[0069]  送信局が非ＡＰ局であるとき、送信局は、様々な方法で送信局の少なくとも１つの送信パラメータにおける変更を示し得る。送信局は、送信局においてＵＬ ＭＵ動作の停止を示すためにＵＬ ＭＵディセーブルサブフィールド３３５を１に設定し得、そうでなければ、ＵＬ ＭＵディセーブルサブフィールド３３５は、送信局におけるＵＬ ＭＵ動作の再開、または送信局におけるＵＬ ＭＵ動作に変更がないことを示すために、０に設定される。送信局は、トリガフレームに応答して、送信局が使用するであろう空間ストリームの最大数、ＮＳＳを示すために、Ｔｘ ＮＳＳサブフィールド３４０を設定し得る。送信局は、送信局の最大送信電力が現在の非トリガベースのＰＰＤＵの後続の送信を変動させるだろうことを示すために、ＴＸ電力フラグサブフィールド３４５を１に設定し得、そうでなければ、Ｔｘ電力フラグサブフィールド３４５を０に設定し得る。送信局は、現在のＭＣＳの最小送信電力が送信局に到達することを示すために、制御フィールド３１０が現在のトリガベースのＰＰＤＵのＨＥ Ａ−制御フィールドで搬送されるとき、Ｔｘ電力ヘッドルームサブフィールド３５０の第２の部分を１に設定し得る。送信局は、現在のＷＬＡＮフレーム３０５の送信に関連して、利用可能な送信電力ヘッドルームを示すために、電力ヘッドルームサブフィールド３５０を設定し得る。
【００７３】
[0070]  第１の制御情報サブフィールド３２０−ａを含む、ＷＬＡＮフレーム３０５を成功裏に受信する受信局は、ＵＬ ＭＵディセーブルサブフィールド３３５が１に設定されるとき、送信局を、次のＴｘＯＰのためのＵＬ ＭＵ動作に参加しないものと見なし得、ＵＬ ＭＵディセーブルサブフィールド３３５が１に設定されるとき、Ｔｘ ＮＳＳサブフィールド３４０および電力ヘッドルームサブフィールド３５０における値を無効と見なし得る。受信局は、ＵＬ ＭＵディセーブルサブフィールド３３５が０に設定されるとき、送信局を、次のＴｘＯＰのためのＵＬ ＭＵ動作に参加するものと見なし得、ＵＬ ＭＵディセーブルサブフィールドが０に設定されるとき、送信局が送信し得る空間ストリームの最大数をＴｘ ＮＳＳサブフィールド３４０における値に等しいものと見なし得る。受信局は、Ｔｘ電力フラグサブフィールド３４５が１に設定され、制御フィールド３１０が非トリガベースのＰＰＤＵで搬送されるとき、送信局を、次のＴｘＯＰのための送信電力変動を有すると見なし得、電力ヘッドルームサブフィールド３５０の第２の部分が１に設定され、制御フィールド３１０がトリガベースのＰＰＤＵで搬送されるとき、送信局を、現在のＭＣＳの最小送信電力に到達したと見なし得る。ＵＬ ＭＵディセーブルサブフィールド３３５およびＴｘ電力フラグサブフィールドの両方が０に設定され、制御フィールド３１０が非トリガベースのＰＰＤＵで搬送されるとき、受信局は、送信局のためのＭＣＳを選択するときに（ＷＬＡＮフレーム３０５の制御フィールド３１０に含まれる場合（if））電力ヘッドルーム３５０の第１の部分に示される送信電力ヘッドルームを考慮し得る。ＵＬ ＭＵディセーブルサブフィールド３３５が０に設定され、制御フィールド３１０がトリガベースのＰＰＤＵで搬送されるとき、受信局は、送信局のためのＭＣＳを選択するときに（ＷＬＡＮフレーム３０５の制御フィールド３１０に含まれる場合）電力ヘッドルームサブフィールド３５０の第１の部分に示される送信電力ヘッドルームを考慮し得る。
【００７４】
[0071]  いくつかの例では、１つまたは複数のＷＬＡＮフレーム２０５またはＷＬＡＮフレーム３０５は、ＰＰＤＵ（例えば、アグリゲートＭＰＤＵ（Ａ−ＭＰＤＵ））において送信され得、そのＰＰＤＵは、ワイヤレスホストから受信された要請フレームに応答して、ワイヤレス局によって送信され得る。いくつかの例では、ＰＰＤＵは、ワイヤレスホストによって要請されたトリガベースのＰＰＤＵフォーマットにおいて、少なくとも１つの他のワイヤレス局の少なくとも１つの他のＰＰＤＵを用いて送られ得る。いくつかの例では、ワイヤレス局によって送信されたＰＰＤＵの各ＰＰＤＵ、および少なくとも１つの他のＰＰＤＵは、周波数、または空間、または時間、またはそれらの組み合わせ、のうちの少なくとも１つにおいて直交であるリソース上で送られ得る。
【００７５】
[0072]  いくつかの例では、制御フィールド２１０または制御フィールド３１０は、要請フレームに応答してＰＰＤＵを送信するためのワイヤレス局についての（for the wireless station to transmit）リソースの割り振りが、ＰＰＤＵ中の少なくとも１つのＷＬＡＮフレーム、または制御フィールド、またはそれらの組み合わせを送信するのに十分なリソースを含むとの決定に少なくとも部分的に基づいて、ＷＬＡＮフレーム２０５またはＷＬＡＮフレーム３０５に含まれ得る。例えば、ワイヤレス局は、ＨＥ制御フィールドを含むことができない要請されたＭＰＤＵを含めること（inclusion）の後に、Ａ−ＭＰＤＵ中の残りの空間がＨＥ制御フィールドを含むＭＰＤＵ（複数を含む）を十分に含んでいない場合を除いて（unless）、ＨＥトリガベースのＰＰＤＵのＡ−ＭＰＤＵで搬送されるＭＰＤＵ中のアップリンク電力ヘッドルーム（ＵＰＨ：Uplink Power Headroom）制御フィールドを含むＨＥ制御フィールドを含み得る。
【００７６】
[0073]  いくつかの例では、制御フィールド２１０または制御フィールド３１０は、制御パラメータの優先順位に少なくとも部分的に基づいて、ＷＬＡＮフレーム２０５またはＷＬＡＮフレーム３０５に含まれ得る。優先順位は、ローカルで（すなわち、ワイヤレス局において）、またはワイヤレスホストから受信された優先順位に少なくとも部分的に基づいて決定され得る。例えば、ワイヤレス局は、ワイヤレス局がＨＥ制御フィールドにおける他の制御フィールドを含む場合を除いて、およびＨＥ制御フィールドで利用可能な空間が追加のＵＰＨ制御フィールドを含むのに十分でない場合を除いて、ＨＥトリガベースのＰＰＤＵのＡ−ＭＰＤＵで搬送されるＭＰＤＵ中のＵＰＨ制御フィールドを含むＨＥ制御フィールドを含み得る。
【００７７】
[0074]  図４は、本開示の様々な態様に従った、局（例えば、ＷＬＡＮ局）におけるワイヤレス通信のために使用されるデバイス４００のブロック図を示す。デバイス４００は、図１を参照して説明される基地局の１１５の態様の例であり得る。デバイス４００は、受信機４１０、ワイヤレス通信マネージャ４２０−ａ、および／または送信機４３０を含み得る。デバイス４００はまた、プロセッサを含み得る。これらのコンポーネントの各々は、互いと通信状態であり（be in communication with）得る。
【００７８】
[0075]  受信機４１０は、様々な情報チャネル（例えば、制御チャネル、データチャネルなど）および／またはフレーム（例えば、トリガベースのＰＰＤＵのＷＬＡＮフレーム、非トリガベースのＰＰＤＵのＷＬＡＮフレームなど）に関連付けられた、パケット、ユーザデータ、または制御情報などの情報を受信するために使用され得る。受信された情報は、ワイヤレス通信マネージャ４２０−ａにおよび／またはデバイス４００の他のコンポーネントにわたされ（be passed）得る。受信機４１０は、１つまたは複数のアンテナを含み得る（またはそれに関連付けられ得る）。
【００７９】
[0076]  ワイヤレス通信マネージャ４２０−ａは、送信電力パラメータマネージャ４３５、ＢＳＲマネージャ４４０、送信パラメータマネージャ４４５、受信パラメータマネージャ４５０、ＣＱＩマネージャ４５５、リンクパラメータマネージャ４６０、および／またはＷＬＡＮフレームマネージャ４６５を含み得る。
【００８０】
[0077]  パラメータマネージャ（例えば、送信電力パラメータマネージャ４３５、ＢＳＲマネージャ４４０、送信パラメータマネージャ４４５、受信パラメータマネージャ４５０、ＣＱＩマネージャ４５５、および／またはリンクパラメータマネージャ４６０）は、それぞれ、デバイス４００を含む局の少なくとも１つの送信電力パラメータと、図２〜図３を参照して説明されるような、局のＢＳＲ、または（いくつかの例では、少なくとも１つの送信パラメータにおける変更を含む）局の少なくとも１つの送信パラメータ、または（いくつかの例では、少なくとも１つの受信パラメータにおける変更を含む）局の少なくとも１つの受信パラメータ、またはＣＱＩ、または（いくつかの例では、少なくとも１つのリンクパラメータにおける変更を含む）少なくとも１つのリンクパラメータ、またはそれらの組み合わせ、のうちの少なくとも１つとを含む複数の制御パラメータを識別するために使用され得る。少なくとも１つの送信電力パラメータは、局の送信電力ヘッドルームを含み得る。
【００８１】
[0078]  ＷＬＡＮフレームマネージャ４６５は、第２の局から受信された要請フレームに応答して送られるＰＰＤＵに含まれる１つまたは複数のＷＬＡＮフレーム中で搬送される制御フィールドにおいて、少なくとも１つの送信電力パラメータを識別する第１の情報を送信するために使用され得る。いくつかの例では、局は、追加的にまたは代替的に、図２〜図３を参照して説明されるように、ＢＳＲ、または局の少なくとも１つの送信パラメータ、または局の少なくとも１つの受信パラメータ、またはＣＱＩ、または少なくとも１つのリンクパラメータ、またはそれらの組み合わせ、のうちの少なくとも１つを識別する第２の情報を、制御フィールドにおいて送信し得る。いくつかの例では、第１の情報と第２の情報の少なくとも一部分とは、図２を参照して説明されるように、制御フィールドの同じ制御情報サブフィールドにおいて送信され得る。いくつかの例では、図３を参照して説明されるように、第１の情報は、制御フィールドの第１の制御情報サブフィールドにおいて送信され得、第２の情報は、制御フィールドの第２の制御情報サブフィールドにおいて送信され得る（すなわち、第１の制御情報サブフィールドおよび第２の制御情報サブフィールドは、同じ制御フィールドにおいて送信され得る）。いくつかの例では、ＰＰＤＵは、第２の局または別の局によって要請されたトリガベースのＰＰＤＵフォーマットにおいて、少なくとも１つの他の局の少なくとも１つの他のＰＰＤＵを用いて（with）送られ得る。いくつかの例では、局によって送られるＰＰＤＵの各ＰＰＤＵと、少なくとも１つの他の局によって送られる少なくとも１つの他のＰＰＤＵとは、周波数、または空間、または時間、またはそれらの組み合わせ、のうちの少なくとも１つにおいて直交であるリソース上で送られ得る。
【００８２】
[0079]  いくつかの例では、送信パラメータマネージャ４４５は、任意で（optionally）、局の少なくとも１つの送信パラメータにおける変更を識別するために使用され得、第２の情報は、局においてアップリンクマルチユーザモードがディセーブルにされるか否かの第１のインジケーション、または局においてＷＬＡＮ通信のために使用可能な送信空間ストリームの最大数の第２のインジケーション、またはそれらの組み合わせ、のうちの少なくとも１つを含み得る。これらの例のうちのいくつかは、アップリンクマルチユーザモードが局においてディセーブルにされることを第１のインジケーションが示すとき、ＷＬＡＮフレームマネージャ４６５は、制御フィールドにおいて、少なくとも１つの送信電力パラメータを送信することを控え（refrain from）得る。
【００８３】
[0080]  いくつかの例では、第１の情報は、トリガベースのＰＰＤＵの現在のＭＣＳの最小送信電力がデバイス４００を含む局に到達するか否かのインジケーションを含み得る。いくつかの例では、第１の情報は、追加的にまたは代替的に、局の最大送信電力とＷＬＡＮフレームのために局によって使用される送信電力との間の差のインジケーションを含み得る。いくつかの例では、第２の情報は、局の最大送信電力がトリガベースのＰＰＤＵの後続の送信を変動させるか否かのインジケーションを含み得る。
【００８４】
[0081]  いくつかの例では、ＷＬＡＮフレームマネージャ４６５は、任意で、第２の局から受信された要請フレームに応答して送られるＰＰＤＵに含まれる１つまたは複数のＷＬＡＮフレーム中で搬送される制御フィールドの制御識別サブフィールドにおいて、局が即時肯定応答を搬送するトリガベースのＰＰＤＵ（例えば、アップリンクマルチユーザＰＰＤＵ）のために要請されることを予測する第１のモード、または局が局の少なくとも１つの送信パラメータを識別する第２のモード、または局が局の少なくとも１つの受信パラメータを識別する第３のモード、または局が局の少なくとも１つの送信電力パラメータを識別する第４のモード、またはそれらの組み合わせ、から選択された少なくとも１つのモードで制御フィールドが構成されるとのインジケーションを送信するために使用され得る。いくつかの例では、ＰＰＤＵは、第２の局または別の局によって要請されたトリガベースのＰＰＤＵフォーマットにおいて、少なくとも１つの他の局の少なくとも１つの他のＰＰＤＵを用いて（with）送られ得る。いくつかの例では、局によって送られるＰＰＤＵの各ＰＰＤＵと、少なくとも１つの他の局によって送られる少なくとも１つの他のＰＰＤＵとは、周波数、または空間、または時間、またはそれらの組み合わせ、のうちの少なくとも１つにおいて直交であるリソース上で送られ得る。
【００８５】
[0082]  いくつかの例では、ＷＬＡＮフレームマネージャ４６５は、任意で、１つまたは複数のＷＬＡＮフレームが要請フレームへの応答として送られるトリガベースのＰＰＤＵで搬送されるとき、１つまたは複数のＷＬＡＮフレームに含めるための優先度（例えば、第１の優先度）を送信電力ヘッドルームが有すると決定するために使用され得る。
【００８６】
[0083]  いくつかの例では、ＷＬＡＮフレームマネージャ４６５は、任意で、要請フレームに応答してＰＰＤＵを送信するための局について（for the station to transmit）、第２の局から受信された要請フレームに示されるリソースの割り振りが、ＰＰＤＵにおいて局が少なくとも１つのＷＬＡＮフレームを送信する（for the station to transmit at least one WLAN frame）のに十分なリソースを含むか、制御フィールド（すなわち、１つまたは複数のＷＬＡＮフレームで搬送され得る制御フィールド）を含むか、またはそれらの組み合わせであるか否かを決定するために使用され得る。いくつかの例では、リソースの割り振りは、送信の持続時間、または少なくとも１つの周波数リソース、またはスペクトルストリーム割り振り、またはＭＣＳ、またはそれらの組み合わせ、のうちの少なくとも１つを含む１つまたは複数のパラメータによって示され得る。いくつかの例では、ＰＰＤＵは、第２の局または別の局によって要請されたトリガベースのＰＰＤＵフォーマットにおいて、少なくとも１つの他の局の少なくとも１つの他のＰＰＤＵを用いて送られ得る。いくつかの例では、局によって送られるＰＰＤＵの各ＰＰＤＵと、少なくとも１つの他の局によって送られる少なくとも１つの他のＰＰＤＵとは、周波数、または空間、または時間、またはそれらの組み合わせ、のうちの少なくとも１つにおいて直交であるリソース上で送られ得る。いくつかの例では、ＷＬＡＮフレームマネージャ４６５は、リソースの割り振りに関する決定に少なくとも部分的に基づいて、制御フィールドにおける第１の情報を送信し得る。
【００８７】
[0084]  いくつかの例では、ＷＬＡＮフレームマネージャ４６５は、任意で、複数の制御パラメータ中の制御パラメータの優先順位を決定するために使用され得る。いくつかの例では、制御パラメータの優先順位を決定することは、局において制御パラメータを優先順位付けすること（すなわち、ローカルで優先順位を決定すること）を含み得る。いくつかの例では、制御パラメータの優先順位を決定することは、第２の局から（例えば、アクセスポイントから）優先順位を受信することを含み得る。いくつかの例では、制御パラメータの優先順位を決定することは、少なくとも１つの送信電力パラメータを識別する第１の情報を送信するための要求を、第２の局から受信することを含み得る。ＷＬＡＮフレームマネージャ４６５を含む局は、優先順位に関する決定に少なくとも部分的に基づいて、制御フィールドにおける第１の情報を送信し得る。
【００８８】
[0085]  送信機４３０は、ワイヤレス通信マネージャ４２０−ａから受信された情報を含む、デバイス４００の他のコンポーネントから受信された情報を送信するために使用され得る。情報は、例えば、様々な情報チャネル（例えば、制御チャネル、データチャネルなど）および／またはフレーム（例えば、トリガベースのＰＰＤＵのＷＬＡＮフレーム、非トリガベースのＰＰＤＵのＷＬＡＮフレームなど）に関連付けられた、パケット、ユーザデータ、または制御情報を含み得る。いくつかの例では、送信機４３０は、トランシーバ内で受信機４１０と共に配置され（be collocated wih）得る。送信機４３０は、１つまたは複数の（multiple）アンテナを含み（またはそれに関連付けられ）得、それらアンテナ（複数を含む）は、受信機４１０によって使用されるアンテナ（複数を含む）と同じであるか、または異なり得る。
【００８９】
[0086]  図５は、本開示の様々な態様に従った、局（例えば、ＷＬＡＮ局）１１５−ｃを含むシステム５００の図を示す。局１１５−ｃは、図１および図４を参照して説明される局１１５またはデバイス４００の態様の例であり得る。局１１５−ｃは、ワイヤレス通信マネージャ４２０−ｂを含み得、それは、図１および図４を参照して説明されるワイヤレス通信マネージャ４２０の態様の例であり得る。局１１５−ｃはまた、通信を送信するためのコンポーネントおよび通信を受信するためのコンポーネントを含む、双方向音声および／またはデータ通信のためのコンポーネントを含み得る。例えば、局１１５−ａは、ＡＰ局１１５−ｄまたは非ＡＰ局１１５−ｅと双方向に通信し得る。
【００９０】
[0087]  局１１５−ｃはまた、プロセッサ５０５、（コンピュータ実行可能ソフトウェア／ファームウェアコード５２０を含む）メモリ５１５、トランシーバ５３５、および少なくとも１つのアンテナ５４０を含み得、それらの各々は、直接または間接的に、（例えば、バス５４５を介して）互いと通信し得る。トランシーバ５３５は、本開示で説明されるように、アンテナ（複数を含む）５４０あるいはワイヤードまたはワイヤレスリンクを介して、少なくとも１つのネットワークと双方向に通信し得る。例えば、トランシーバ５３５は、ＡＰ局１１５−ｄまたは非ＡＰ局１１５−ｅと双方向に通信し得る。トランシーバ５３５は、パケットを変調し、変調されたパケットを送信のためにアンテナ（複数を含む）５４０に提供し、アンテナ（複数を含む）５４０から受信されたパケットを復調するためのモデムを含み得る。局１１５−ｃは単一のアンテナ５４０を含み得る、一方、局１１５−ｃはまた、複数のワイヤレス送信を同時に送信または受信することが可能な複数のアンテナ５４０を有し得る。
【００９１】
[0088]  メモリ５１５は、ランダムアクセスメモリ（ＲＡＭ）および／または読み取り専用メモリ（ＲＯＭ）を含み得る。メモリ５１５は、実行されたとき、プロセッサ５０５に、本明細書に説明される様々な機能を行わせる命令を含む、コンピュータ読み取り可能なコンピュータ実行可能ソフトウェア／ファームウェアコード５２０を記憶し得る（例えば、図２〜図４などを参照して説明される情報を有する制御フィールドを含む１つまたは複数のＷＬＡＮフレームの送信）。代替的に、コンピュータ実行可能ソフトウェア／ファームウェアコード５２０は、プロセッサ５０５によって直接実行可能ではないことがあり得るが、（例えば、コンパイルおよび実行されたときに）コンピュータに、本明細書に説明された機能を行わせ得る。プロセッサ５０５は、インテリジェントハードウェアデバイス、（例えば、中央処理ユニット（ＣＰＵ）、マイクロコントローラ、特定用途向け集積回路（ＡＳＩＣ）など）を含み得る。
【００９２】
[0089]  図６は、本開示の様々な態様に従った、第１の局（例えば、ＷＬＡＮ ＡＰ局）におけるワイヤレス通信のために使用されるデバイス６００のブロック図を示す。デバイス６００は、図１を参照して説明されるＡＰ局１１５の態様の例であり得る。デバイス６００は、受信機６１０、ワイヤレス通信マネージャ６２０−ａ、および／または送信機６３０を含み得る。デバイス６００はまた、プロセッサを含み得る。これらのコンポーネントの各々は、互いと通信状態であり得る。
【００９３】
[0090]  受信機６１０は、様々な情報チャネル（例えば、制御チャネル、データチャネルなど）および／またはフレーム（例えば、トリガベースのＰＰＤＵのＷＬＡＮフレーム、非トリガベースのＰＰＤＵのＷＬＡＮフレームなど）に関連付けられた、パケット、ユーザデータ、または制御情報などの情報を受信するために使用され得る。受信された情報は、ワイヤレス通信マネージャ６２０−ａにおよび／またはデバイス６００の他のコンポーネントにわたされ得る。受信機６１０は、１つまたは複数のアンテナを含み得る（またはそれに関連付けられ得る）。
【００９４】
[0091]  ワイヤレス通信マネージャ６２０−ａは、ＷＬＡＮフレームプロセッサ６３５、送信電力パラメータプロセッサ６４０、ＢＳＲプロセッサ６４５、送信パラメータプロセッサ６５０、受信パラメータプロセッサ６５５、ＣＱＩプロセッサ６６０、および／またはリンクパラメータプロセッサ６６５を含み得る。
【００９５】
[0092]  ＷＬＡＮフレームプロセッサ６３５は、第１の局によって送信される要請フレームに応答して受信されるＰＰＤＵに含まれる１つまたは複数のＷＬＡＮフレーム中で搬送される制御フレームにおいて、第２の局の少なくとも１つの送信電力パラメータを識別する第１の情報、あるいは、第２の局のＢＳＲ、または（いくつかの例では、少なくとも１つの送信パラメータにおける変更を含む）第２の局の少なくとも１つの送信パラメータ、または（いくつかの例では、少なくとも１つの受信パラメータにおける変更を含む）第２の局の少なくとも１つの受信パラメータ、またはＣＱＩ、または（いくつかの例では、少なくとも１つのリンクパラメータにおける変更を含む）少なくとも１つのリンクパラメータ、またはそれらの組み合わせ、のうちの少なくとも１つを識別する第２の情報のうちの少なくとも１つを受信するために使用され得る。少なくとも１つの送信電力パラメータは、第２の局の送信電力ヘッドルームを含み得る。いくつかの例では、第１の情報と第２の情報の少なくとも一部分とは、図２を参照して説明されるように、制御フィールドの同じ制御情報サブフィールドにおいて受信され得る。いくつかの例では、図３を参照して説明されるように、第１の情報は、制御フィールドの第１の制御情報サブフィールドにおいて受信され得、第２の情報の少なくとも一部分は、制御フィールドの第２の制御情報サブフィールドにおいて受信され得る（すなわち、第１の制御情報サブフィールドおよび第２の制御情報サブフィールドは、同じ制御フィールドにおいて受信され得る）。いくつかの例では、ＰＰＤＵは、第１の局によって要請されたトリガベースのＰＰＤＵフォーマットにおいて少なくとも１つの他の局から受信された少なくとも１つの他のＰＰＤＵを用いて第２の局から受信され得る。いくつかの例では、第２の局から受信されたＰＰＤＵの各ＰＰＤＵと、少なくとも１つの他の局から受信された少なくとも１つの他のＰＰＤＵとは、周波数、または空間、または時間、またはそれらの組み合わせ、のうちの少なくとも１つにおいて直交であるリソース上で受信され得る。
【００９６】
[0093]  ＷＬＡＮフレームプロセッサ６３５はまた、１つまたは複数のＷＬＡＮフレーム中で搬送される制御フィールドにおいて、第２の局の少なくとも１つの送信電力パラメータを識別する第１の情報、あるいは、第２の局のＢＳＲ、または（いくつかの例では、少なくとも１つの送信パラメータにおける変更を含む）第２の局の少なくとも１つの送信パラメータ、または（いくつかの例では、少なくとも１つの受信パラメータにおける変更を含む）第２の局の少なくとも１つの受信パラメータ、またはＣＱＩ、または（いくつかの例では、少なくとも１つのリンクパラメータにおける変更を含む）少なくとも１つのリンクパラメータ、またはそれらの組み合わせ、のうちの少なくとも１つを識別する第２の情報のうちの少なくとも１つを受信するために使用され得る。少なくとも１つの送信電力パラメータは、第２の局の送信電力ヘッドルームを含み得る。いくつかの例では、第１の情報と第２の情報の少なくとも一部分とは、図２を参照して説明されるように、制御フィールドの同じ制御情報サブフィールドにおいて受信され得る。いくつかの例では、図３を参照して説明されるように、第１の情報は、制御フィールドの第１の制御情報サブフィールドにおいて受信され得、第２の情報の少なくとも一部分は、制御フィールドの第２の制御情報サブフィールドにおいて受信され得る（すなわち、第１の制御情報サブフィールドおよび第２の制御情報サブフィールドは、同じ制御フィールドにおいて受信され得る）。ＷＬＡＮフレームプロセッサ６３５はまた、第２の局に（例えば、送信機６３０を介して）送信されるべき要請フレームを生成し得る。
【００９７】
[0094]  パラメータプロセッサ（例えば、送信電力パラメータプロセッサ６４０、ＢＳＲプロセッサ６４５、送信パラメータプロセッサ６５０、受信パラメータプロセッサ６５５、ＣＱＩプロセッサ６６０、および／またはリンクパラメータプロセッサ６６５）は、第２の局の少なくとも１つの送信電力パラメータ、第２の局のＢＳＲ、または第２の局の少なくとも１つの送信パラメータ、または第２の局の少なくとも１つの受信パラメータ、またはＣＱＩ、または少なくとも１つのリンクパラメータ、またはそれらの組み合わせ、のうちの少なくとも１つを識別するために使用され得る。
【００９８】
[0095]  いくつかの例では、ＷＬＡＮフレームプロセッサ６３５は、ＷＬＡＮフレームで搬送される制御フィールド中の第２の情報を受信するために使用され得、第２の情報は、第２の局においてアップリンクマルチユーザモードがディセーブルにされるか否かの第１のインジケーション、または第２の局においてＷＬＡＮ通信のために使用可能な（usable）送信空間ストリームの最大数の第２のインジケーション、またはそれらの組み合わせ、のうちの少なくとも１つを含み得る。これらの例のうちのいくつかでは、アップリンクマルチユーザモードが第２の局においてディセーブルにされることを第１のインジケーションが示すとき、ＷＬＡＮフレームプロセッサ６３５は、第１の情報を無効と解釈し得る。
【００９９】
[0096]  いくつかの例では、ＷＬＡＮフレームプロセッサ６３５は、１つまたは複数のＷＬＡＮフレーム中で搬送される制御フィールドにおいて、第１の情報を受信するために使用され得、送信電力パラメータプロセッサ６４０は、第１の情報から第２の局の少なくとも１つの送信電力パラメータを識別するために使用され得る。いくつかの例では、第１の情報は、第２の局における送信電力ヘッドルームのインジケーション（例えば、第１のインジケーション）を含み得る。いくつかの例では、送信電力ヘッドルームのインジケーションは、第２の局の最大送信電力とＷＬＡＮフレームのために第２の局によって使用される送信電力との間の差のインジケーションを含み得る。いくつかの例では、第１の情報は、追加的にまたは代替的に、トリガベースのＰＰＤＵの現在のＭＣＳの最小送信電力が第２の局に到達するか否かのインジケーション（例えば、第２のインジケーション）を含み得る。いくつかの例では、第２の情報が受信され得、第２の情報は、局の最大送信電力が第１の局によってトリガベースのＰＰＤＵの後続の受信を変動させるか否かのインジケーションを含み得る。
【０１００】
[0097]  送信機６３０は、ワイヤレス通信マネージャ６２０−ａから受信された情報を含む、デバイス６００の他のコンポーネントから受信された情報を送信するために使用され得る。情報は、例えば、様々な情報チャネル（例えば、制御チャネル、データチャネルなど）および／またはフレーム（例えば、トリガベースのＰＰＤＵのＷＬＡＮフレーム、非トリガベースのＰＰＤＵのＷＬＡＮフレームなど）に関連付けられた、パケット、ユーザデータ、または制御情報を含み得る。いくつかの例では、送信機６３０は、トランシーバ内で受信機６１０と共に配置され得る。送信機６３０は、１つまたは複数のアンテナを含み（またはそれに関連付けられ）得、それらアンテナ（複数を含む）は、受信機６１０によって使用されるアンテナ（複数を含む）と同じであるか、または異なり得る。
【０１０１】
[0098]  図７は、本開示の様々な態様に従った、ＡＰ局（例えば、ＷＬＡＮ ＡＰ局）１１５−ｆを含むシステム７００の図を示す。ＡＰ局１１５−ｆは、図１および図６を参照して説明されるＡＰ局１１５またはデバイス６００の態様の一例であり得る。ＡＰ局１１５−ｆは、ワイヤレス通信マネージャ６２０−ｂを含み得、それは、図１および図６を参照して説明されるワイヤレス通信マネージャ６２０の態様の一例であり得る。ＡＰ局１１５−ｆはまた、通信を送信するためのコンポーネントおよび通信を受信するためのコンポーネントを含む、双方向音声および／またはデータ通信のためのコンポーネントを含み得る。例えば、ＡＰ局１１５−ｆは、非ＡＰ局（例えばＷＬＡＮ非ＡＰ局）１１５−ｇおよび１１５−ｈ、および／または他のＡＰ局１１５−ｉおよび１１５−ｊと双方向に通信し得る。
【０１０２】
[0099]  いくつかのケースでは、ＡＰ局１１５−ｆは、ワイヤードまたはワイヤレスバックホールリンクを有し得る。例えば、ＡＰ局１１５−ｆは、コアネットワーク７５０へのワイヤレスバックホールリンクを有し得る。いくつかのケースでは、ＡＰ局１１５−ｆは、ＡＰ通信モジュール７２５を利用する（utilizing）他のＡＰ局（例えば、ＡＰ局１１５−ｉまたはＡＰ局１１５−ｊ）と通信し得る。いくつかの例では、ＡＰ通信モジュール７２５は、複数のＡＰのうちのいくつか（some of the APs）の間で通信を提供するために、ロングタームエボリューション（ＬＴＥ（登録商標））／ＬＴＥ−Ａワイヤレス通信ネットワーク技術内のＸ２インタフェースを提供し得る。いくつかのケースでは、ＡＰ局１１５−ｆは、ネットワーク通信モジュール７３０を通じてコアネットワーク７５０と通信し得る。
【０１０３】
[0100]  ＡＰ局１１５−ｆは、プロセッサ７０５、（コンピュータ実行可能ソフトウェア／ファームウェアコード７２０含む）メモリ７１５、トランシーバ７３５、および少なくとも１つのアンテナ７４０を含み得、それらの各々は、直接または間接的に、（例えば、バス７４５を介して）互いと通信し得る。トランシーバ７３５は、アンテナ（複数を含む）７４０を介して、局１１５−ｇおよび１１５−ｈと双方向に通信するように構成され得、それは、いくつかのケースでは、マルチモードデバイスであり得る。トランシーバ７３５（またはＡＰ局１１５−ｆの他のコンポーネント）はまた、アンテナ（複数を含む）７４０を介して、少なくとも１つの他のＡＰ局（図示せず）と双方向に通信するように構成され得る。トランシーバモジュール７３５は、パケットを変調し、変調されたパケットを送信のためにアンテナ（複数を含む）７４０に提供し、アンテナ（複数を含む）７４０から受信されたパケットを復調するように構成されたモデムを含み得る。ＡＰ局１１５−ｆは、複数のトランシーバ７３５を含み得、その各々は、アンテナ（複数を含む）７４０のうちの少なくとも１つに関連付けられ得る。トランシーバモジュール７３５の各々は、図６の組み合わされた受信機６１０および送信機６３０の例であり得る。
【０１０４】
[0101]  メモリ７１５は、ＲＡＭおよび／またはＲＯＭを含み得る。メモリ７１５は、実行されたとき、プロセッサ７０５に、本明細書に説明される様々な機能を行わせる命令を含む、コンピュータ読み取り可能なコンピュータ実行可能ソフトウェア／ファームウェアコード７２０を記憶し得る（例えば、図２、３、および６などを参照して説明される情報を有する制御フィールドを含む１つまたは複数のＷＬＡＮフレームの受信）。代替的に、コンピュータ実行可能ソフトウェア／ファームウェアコード７２０は、プロセッサ７０５によって直接実行可能ではないことがあり得るが、（例えば、コンパイルおよび実行されたときに）コンピュータに、本明細書に説明される機能を行わせ得る。プロセッサ７０５は、インテリジェントハードウェアデバイス（例えば、ＣＰＵ、マイクロコントローラ、ＡＳＩＣなど）を含み得る。プロセッサ７０５は、エンコーダ、キュー処理モジュール、ベースバンドプロセッサ、無線ヘッドコントローラ、デジタルシグナルプロセッサ（ＤＳＰ）、および同様のものなどの様々な特殊用途プロセッサを含み得る。
【０１０５】
[0102]  局１１５、デバイス４００またはデバイス６００、あるいは、ワイヤレス通信マネージャ４２０またはワイヤレス通信マネージャ６２０の電子または通信コンポーネントは、単独でまたは集合的に、ハードウェアで適用可能な機能のいくつかまたは全てを行うために適合された少なくとも１つのＡＳＩＣを使用して実装され得る。代替的に、機能は、少なくとも１つの集積回路（ＩＣ）上で、少なくとも１つの他のプロセッサ（またはコア）によって行われ得る。他の例では、他のタイプの集積回路が使用され得（例えば、構造化（Structured）／プラットフォームＡＳＩＣ、フィールドプログラマブルゲートアレイ（ＦＰＧＡ）、システムオンチップ（ＳＯＣ）、または他のセミカスタムＩＣ）、これらは、当該技術分野において既知の任意の方法でプログラムされ得る。各ユニットの機能はまた、少なくとも１つの汎用または特定用途向けプロセッサによって実行されるようにフォーマットされた、メモリ中で具現化された命令において、全体的にまたは部分的に実装され得る。
【０１０６】
[0103]  図８は、本開示の様々な態様に従った、局（例えば、ＷＬＡＮ局）におけるワイヤレス通信のための方法８００を例示するフローチャートを示す。方法８００の動作は、図１〜図５を参照して説明されるように、局１１５、デバイス４００、またはそのコンポーネントによって実装され得る。例えば、方法８００の動作は、図１、４、および５を参照して説明されるように、ワイヤレス通信マネージャ４２０によって行われ得る。いくつかの例では、局は、以下に説明される機能を行うために、局の機能的な（functional）要素を制御するためのコードのセットを実行し得る。追加的にまたは代替的に、局は、特殊用途ハードウェアを使用して、以下で説明される機能の態様を行い得る。
【０１０７】
[0104]  ブロック８０５において、局は、局の少なくとも１つの送信電力パラメータと、図２〜図５を参照して説明されるような、局のＢＳＲ、または（いくつかの例では、少なくとも１つの送信パラメータにおける変更を含む）局の少なくとも１つの送信パラメータ、または（いくつかの例では、少なくとも１つの受信パラメータにおける変更を含む）局の少なくとも１つの受信パラメータ、またはＣＱＩ、または（いくつかの例では、少なくとも１つのリンクパラメータにおける変更を含む）少なくとも１つのリンクパラメータ、またはそれらの組み合わせ、のうちの少なくとも１つとを含む複数の制御パラメータを識別し得る。少なくとも１つの送信電力パラメータは、局の送信電力ヘッドルームを含み得る。ある特定の例では、ブロック８０５の動作は、図１、４、および５を参照して説明されるワイヤレス通信マネージャ４２０、または図４を参照して説明される、送信電力パラメータマネージャ４３５、ＢＳＲマネージャ４４０、送信パラメータマネージャ４４５、受信パラメータマネージャ４５０、ＣＱＩマネージャ４５５、またはリンクパラメータマネージャ４６０によって行われ得る。
【０１０８】
[0105]  ブロック８１０では、局は、第２の局から受信された要請フレームに応答して送られるＰＰＤＵに含まれる１つまたは複数のＷＬＡＮフレーム中で搬送される制御フィールドにおいて、第１の情報を送信し得る。いくつかのケースでは、第１の情報は、少なくとも１つの送信電力パラメータを識別する。いくつかの例では、局はまた、図２〜図５を参照して説明されるように、ＢＳＲ、または局の少なくとも１つの送信パラメータ、または局の少なくとも１つの受信パラメータ、またはＣＱＩ、または少なくとも１つのリンクパラメータ、またはそれらの組み合わせ、のうちの少なくとも１つを識別する第２の情報を、制御フィールドにおいて送信し得る。いくつかの例では、第１の情報と第２の情報の少なくとも一部分とは、図２を参照して説明されるように、制御フィールドの同じ制御情報サブフィールドにおいて送信され得る。いくつかの例では、図３を参照して説明されるように、第１の情報は、制御フィールドの第１の制御情報サブフィールドにおいて送信され得、第２の情報は、制御フィールドの第２の制御情報サブフィールドにおいて送信され得る（すなわち、第１の制御情報サブフィールドおよび第２の制御情報サブフィールドは、同じ制御フィールドにおいて送信され得る）。いくつかの例では、ＰＰＤＵは、第２の局または別の局によって要請されたトリガベースのＰＰＤＵフォーマットにおいて、少なくとも１つの他の局の少なくとも１つの他のＰＰＤＵを用いて送られ得る。いくつかの例では、局によって送られるＰＰＤＵの各ＰＰＤＵと、少なくとも１つの他の局によって送られる少なくとも１つの他のＰＰＤＵとは、周波数、または空間、または時間、またはそれらの組み合わせ、のうちの少なくとも１つにおいて直交であるリソース上で送られ得る。ある例では（In certain examples）、ブロック８１０の動作は、図１、４、および５を参照して説明されるワイヤレス通信マネージャ４２０、または図４を参照して説明されるＷＬＡＮフレームマネージャ４６５によって行われ得る。
【０１０９】
[0106]  方法８００のいくつかの例では、局の少なくとも１つの送信パラメータにおける変更が識別され得、第２の情報は、局においてアップリンクマルチユーザモードがディセーブルにされるか否かの第１のインジケーション、または局においてＷＬＡＮ通信のために使用可能な送信空間ストリームの最大数の第２のインジケーション、またはそれらの組み合わせ、のうちの少なくとも１つを含み得る。これらの例のうちのいくつかは、アップリンクマルチユーザモードが局においてディセーブルにされることを第１のインジケーションが示すとき、方法８００は、ブロック８１０において、制御フィールドにおいて、少なくとも１つの送信電力パラメータを送信することを控え得る。
【０１１０】
[0107]  方法８００のいくつかの例では、第１の情報は、トリガベースのＰＰＤＵの現在のＭＣＳの最小送信電力が局に到達するか否かのインジケーションを含み得る。いくつかの例では、第１の情報は、追加的にまたは代替的に、局の最大送信電力とＷＬＡＮフレームのために局によって使用される送信電力との間の差のインジケーションを含み得る。いくつかの例では、第２の情報は、局の最大送信電力がトリガベースのＰＰＤＵの後続の送信を変動させるだろうか否かのインジケーションを含み得る。
【０１１１】
[0108]  図９は、本開示の様々な態様に従った、局（例えば、ＷＬＡＮ局）におけるワイヤレス通信のための方法９００を例示するフローチャートを示す。方法９００の動作は、図１〜図５を参照して説明されるように、局１１５、デバイス４００、またはそのコンポーネントによって実装され得る。例えば、方法９００の動作は、図１、４、および５を参照して説明されるように、ワイヤレス通信マネージャ４２０によって行われ得る。いくつかの例では、局は、以下に説明される機能を行うために、局の機能的な要素を制御するためのコードのセットを実行し得る。追加的にまたは代替的に、局は、特殊用途ハードウェアを使用して、以下で説明される機能の態様を行い得る。
【０１１２】
[0109]  ブロック９０５において、局は、局の少なくとも１つの送信電力パラメータと、図２〜５を参照して説明されるような、局のＢＳＲ、または（いくつかの例では、少なくとも１つの送信パラメータにおける変更を含む）局の少なくとも１つの送信パラメータ、または（いくつかの例では、少なくとも１つの受信パラメータにおける変更を含む）局の少なくとも１つの受信パラメータ、またはＣＱＩ、または（いくつかの例では、少なくとも１つのリンクパラメータにおける変更を含む）少なくとも１つのリンクパラメータ、またはそれらの組み合わせ、のうちの少なくとも１つとを含む複数の制御パラメータを識別し得る。少なくとも１つの送信電力パラメータは、局の送信電力ヘッドルームを含み得る。ある例では、ブロック９０５の動作は、図１、４、および５を参照して説明されるワイヤレス通信マネージャ４２０、または図４を参照して説明される、送信電力パラメータマネージャ４３５、ＢＳＲマネージャ４４０、送信パラメータマネージャ４４５、受信パラメータマネージャ４５０、ＣＱＩマネージャ４５５、またはリンクパラメータマネージャ４６０によって行われ得る。
【０１１３】
[0110]  ブロック９１０では、局は、第２の局から受信された要請フレームに応答して送られるＰＰＤＵに含まれる１つまたは複数のＷＬＡＮフレーム中で搬送される制御フィールドの制御識別サブフィールドにおいて、局が即時肯定応答を搬送するトリガベースのＰＰＤＵ（例えば、アップリンクマルチユーザＰＰＤＵ）のために要請されることを予測する第１のモード、または局が局の少なくとも１つの送信パラメータを識別する第２のモード、または局が局の少なくとも１つの受信パラメータを識別する第３のモード、または局が局の少なくとも１つの送信電力パラメータを識別する第４のモード、またはそれらの組み合わせ、から選択された少なくとも１つのモードで制御フィールドが構成されるというインジケーションを送信し得る。いくつかの例では、ＰＰＤＵは、第２の局または別の局によって要請されたトリガベースのＰＰＤＵフォーマットにおいて、少なくとも１つの他の局の少なくとも１つの他のＰＰＤＵを用いて送られ得る。いくつかの例では、局によって送られるＰＰＤＵの各ＰＰＤＵと、少なくとも１つの他の局によって送られる少なくとも１つの他のＰＰＤＵとは、周波数、または空間、または時間、またはそれらの組み合わせ、のうちの少なくとも１つにおいて直交であるリソース上で送られ得る。ある例では、ブロック９１０の動作は、図１、４、および５を参照して説明されるワイヤレス通信マネージャ４２０、または図４を参照して説明されるＷＬＡＮフレームマネージャ４６５によって行われ得る。
【０１１４】
[0111]  いくつかの例では、局は、１つまたは複数のＷＬＡＮフレームが要請フレームへの応答として送られるトリガベースのＰＰＤＵで搬送されるとき、１つまたは複数のＷＬＡＮフレームに含めるための優先度（例えば、第１の優先度）を送信電力ヘッドルームが有すると任意で（optionally）決定し得る。
【０１１５】
[0112]  ブロック９１５では、局は、１つまたは複数のＷＬＡＮフレーム中で搬送される制御フィールドにおいて、少なくとも１つの送信電力パラメータを識別する第１の情報を送信し得る。いくつかの例では、局はまた、図２〜図５を参照して説明されるように、ＢＳＲ、または局の少なくとも１つの送信パラメータ、または局の少なくとも１つの受信パラメータ、またはＣＱＩ、または少なくとも１つのリンクパラメータ、またはそれらの組み合わせ、のうちの少なくとも１つを識別する第２の情報を、制御フィールドにおいて送信し得る。いくつかの例では、第１の情報と第２の情報の少なくとも一部分とは、図２を参照して説明されるように、制御フィールドの同じ制御情報サブフィールドにおいて送信され得る。いくつかの例では、図３を参照して説明されるように、第１の情報は、制御フィールドの第１の制御情報サブフィールドにおいて送信され得、第２の情報は、制御フィールドの第２の制御情報サブフィールドにおいて送信され得る（すなわち、第１の制御情報サブフィールドおよび第２の制御情報サブフィールドは、同じ制御フィールドにおいて送信され得る）。ある例では、ブロック９１５の動作は、図１、４、および５を参照して説明されるワイヤレス通信マネージャ４２０、または図４を参照して説明されるＷＬＡＮフレームマネージャ４６５によって行われ得る。
【０１１６】
[0113]  図１０は、本開示の様々な態様に従った、局（例えば、ＷＬＡＮ局）におけるワイヤレス通信のための方法１０００を例示するフローチャートを示す。方法１０００の動作は、図１〜図５を参照して説明されるように、局１１５、デバイス４００、またはそのコンポーネントによって実装され得る。例えば、方法１０００の動作は、図１、４、および５を参照して説明されるように、ワイヤレス通信マネージャ４２０によって行われ得る。いくつかの例では、局は、以下に説明される機能を行うために、局の機能的な要素を制御するためのコードのセットを実行し得る。追加的にまたは代替的に、局は、特殊用途ハードウェアを使用して、以下で説明される機能の態様を行い得る。
【０１１７】
[0114]  ブロック１００５において、局は、複数の制御パラメータを識別し得る。複数の制御パラメータは、例えば、図２〜図５を参照して説明されるように、局の少なくとも１つの送信電力パラメータ、局のＢＳＲ、（いくつかの例では、少なくとも１つの送信パラメータにおける変更を含む）局の送信パラメータ、（いくつかの例では、少なくとも１つの受信パラメータにおける変更を含む）局の受信パラメータ、ＣＱＩ、（いくつかの例では、少なくとも１つのリンクパラメータにおける変更を含む）リンクパラメータ、またはそれらの組み合わせ、を含み得る。少なくとも１つの送信電力パラメータは、局の送信電力ヘッドルームを含み得る。ある例では、ブロック１００５の動作は、図１、４、および５を参照して説明されるワイヤレス通信マネージャ４２０、または図４を参照して説明される、送信電力パラメータマネージャ４３５、ＢＳＲマネージャ４４０、送信パラメータマネージャ４４５、受信パラメータマネージャ４５０、ＣＱＩマネージャ４５５、またはリンクパラメータマネージャ４６０によって行われ得る。
【０１１８】
[0115]  ブロック１０１０では、局は、第２の局から受信された要請フレームを識別し得る。ある例では、ブロック１０１０の動作は、図１、４、および５を参照して説明されるワイヤレス通信マネージャ４２０、または図４を参照して説明されるＷＬＡＮフレームマネージャ４６５によって行われ得る。
【０１１９】
[0116]  ブロック１０１５では、局は、要請フレームに応答して送られるべき１つまたは複数のＭＰＤＵを含むＰＰＤＵのためのリソースの割り振りを決定し得る。ある例では、ブロック１０１５の動作は、図１、４、および５を参照して説明されるワイヤレス通信マネージャ４２０、または図４を参照して説明されるＷＬＡＮフレームマネージャ４６５によって行われ得る。
【０１２０】
[0117]  ブロック１０２０では、局は、リソースの割り振りに少なくとも部分的に基づいて、ＭＰＤＵの少なくとも１つにおいて複数の制御パラメータのうちの１つまたは複数のパラメータを含むか否かを決定し得る。いくつかの例では、リソースの割り振りは、送信の持続時間（duration）、または少なくとも１つの周波数リソース、またはスペクトルストリーム割り振り、またはＭＣＳ、またはそれらの組み合わせ、のうちの少なくとも１つを含む１つまたは複数のパラメータによって、要請フレームに示され（be indicated in the soliciting frame）得る。いくつかの例では、ＰＰＤＵは、第２の局または別の局によって要請されたトリガベースのＰＰＤＵフォーマットにおいて、少なくとも１つの他の局の少なくとも１つの他のＰＰＤＵを用いて送られ得る。いくつかの例では、局によって送られるＰＰＤＵの各ＰＰＤＵと、少なくとも１つの他の局によって送られる少なくとも１つの他のＰＰＤＵとは、周波数、または空間、または時間、またはそれらの組み合わせ、のうちの少なくとも１つにおいて直交であるリソース上で送られ得る。ある例では、ブロック１０２０の動作は、図１、４、および５を参照して説明されるワイヤレス通信マネージャ４２０、または図４を参照して説明されるＷＬＡＮフレームマネージャ４６５によって行われ得る。
【０１２１】
[0118]  ブロック１０２５において、局は、第２の局に、１つまたは複数のＭＰＤＵを備えるＰＰＤＵを送信し得る。ある例では、ブロック１０２５の動作は、図１、４、および５を参照して説明されるワイヤレス通信マネージャ４２０、または図４を参照して説明されるＷＬＡＮフレームマネージャ４６５によって行われ得る。
【０１２２】
[0119]  図１１は、本開示の様々な態様に従った、局（例えば、ＷＬＡＮ局）におけるワイヤレス通信のための方法１１００を例示するフローチャートを示す。方法１１００の動作は、図１〜図５を参照して説明されるように、局１１５、デバイス４００、またはそのコンポーネントによって実装され得る。例えば、方法１１００の動作は、図１、４、および５を参照して説明されるように、ワイヤレス通信マネージャ４２０によって行われ得る。いくつかの例では、局は、以下に説明される機能を行うために、局の機能的な要素を制御するためのコードのセットを実行し得る。追加的にまたは代替的に、局は、特殊用途ハードウェアを使用して、以下で説明される機能の態様を行い得る。
【０１２３】
[0120]  ブロック１１０５において、局は、図２〜図５を参照して説明されるように、局の少なくとも１つの送信電力ヘッドルームパラメータ、局のＢＳＲ、（いくつかの例では、少なくとも１つの送信パラメータにおける変更を含む）局の送信パラメータ、（いくつかの例では、少なくとも１つの受信パラメータにおける変更を含む）局の受信パラメータ、ＣＱＩ、（いくつかの例では、少なくとも１つのリンクパラメータにおける変更を含む）リンクパラメータ、またはそれらの組み合わせ、を含む複数の制御パラメータを識別し得る。少なくとも１つの送信電力パラメータは、局の送信電力ヘッドルームを含み得る。ある例では、ブロック１１０５の動作は、図１、４、および５を参照して説明されるワイヤレス通信マネージャ４２０、または図４を参照して説明される、送信電力パラメータマネージャ４３５、ＢＳＲマネージャ４４０、送信パラメータマネージャ４４５、受信パラメータマネージャ４５０、ＣＱＩマネージャ４５５、またはリンクパラメータマネージャ４６０によって行われ得る。
【０１２４】
[0121]  ブロック１１１０では、局は、第２の局から受信された要請フレームを識別し得る。ある例では、ブロック１１１０の動作は、図１、４、および５を参照して説明されるワイヤレス通信マネージャ４２０、または図４を参照して説明されるＷＬＡＮフレームマネージャ４６５によって行われ得る。
【０１２５】
[0122]  ブロック１１１５において、局は、要請フレームに応答して送られるべきＰＰＤＵにおいて、リソースの割り振りが制御フィールドを送信するのに十分なリソースを備えるか否かを決定し得る。例えば、局は、ＨＥ制御フィールドを含むことができない（that cannot contain）要請されたＭＰＤＵを含めることの後に、Ａ−ＭＰＤＵ中の残りの空間がＨＥ制御フィールドを含むＭＰＤＵ（複数を含む）を十分に含んでいるか否かを決定し得る。ある例では、ブロック１１１５の動作は、図１、４、および５を参照して説明されるワイヤレス通信マネージャ４２０、または図４を参照して説明されるＷＬＡＮフレームマネージャ４６５によって行われ得る。
【０１２６】
[0123]  ブロック１１１５において、制御フィールドを含む少なくとも１つのＭＰＤＵがＰＰＤＵにおいて送られるべきである（is to be sent）と決定される場合、ブロック１１２５において、制御フィールドが送信電力ヘッドルームパラメータのために十分なリソースを備えるか否かを決定し得る。例えば、制御フィールドは、ＨＥ制御フィールドであり得、局は、他の制御フィールドを含めることの後に、ＨＥ制御フィールドが送信電力ヘッドルームパラメータのために十分なリソースを含むか否かを決定し得る。制御フィールドは、例えば、送信電力ヘッドルームパラメータのための制御フィールドにおいて、利用可能なリソースを決定するための局によって優先順位付けされ得る。ある例では、ブロック１１２５の動作は、図１、４、および５を参照して説明されるワイヤレス通信マネージャ４２０、または図４を参照して説明されるＷＬＡＮフレームマネージャ４６５によって行われ得る。
【０１２７】
[0124]  ブロック１１３０では、局は、リソースの割り振りに少なくとも部分的に基づいて、ＭＰＤＵの少なくとも１つにおいて複数の制御パラメータのうちの１つまたは複数のパラメータを含むか否かを決定し得る。ある例では、ブロック１１３０の動作は、図１、４、および５を参照して説明されるワイヤレス通信マネージャ４２０、または図４を参照して説明されるＷＬＡＮフレームマネージャ４６５によって行われ得る。
【０１２８】
[0125]  ブロック１１３５において、局は、第２の局に、１つまたは複数のＭＰＤＵを備えるＰＰＤＵを送信し得る。ある例では、ブロック１１３５の動作は、図１、４、および５を参照して説明されるワイヤレス通信マネージャ４２０、または図４を参照して説明されるＷＬＡＮフレームマネージャ４６５によって行われ得る。
【０１２９】
[0126]  いくつかの例では、図８、９、１０、または１１を参照して説明される方法８００、９００、１０００、または１１００の態様は、組み合され得る。
【０１３０】
[0127]  図１２は、本開示の様々な態様に従った、第１の局（例えば、ＷＬＡＮ ＡＰ局）におけるワイヤレス通信のための方法１２００を例示するフローチャートを示す。方法１２００の動作は、図１〜図３、図６、および図７を参照して説明されるように、局１１５、デバイス６００、またはそのコンポーネントによって実装され得る。例えば、方法１２００の動作は、図１、６、および７を参照して説明されるように、ワイヤレス通信マネージャ６２０によって行われ得る。いくつかの例では、第１の局は、以下に説明される機能を行うために、第１の局の機能的な要素を制御するためのコードのセットを実行し得る。追加的にまたは代替的に、第１の局は、特殊用途ハードウェアを使用して、以下で説明される機能の態様を行い得る。
【０１３１】
[0128]  ブロック１２０５において、第１の局は、第２の局に要請フレームを送信し得る。ある例では、ブロック１２０５の動作は、図１、６、および７を参照して説明されるワイヤレス通信マネージャ６２０、または図６を参照して説明されるＷＬＡＮフレームプロセッサ６３５によって行われ得る。
【０１３２】
[0129]  ブロック１２１０において、第１の局は、第１の局によって送信される要請フレームに応答して第２の局から受信される１つまたは複数のＭＰＤＵを含むＰＰＤＵにおいて、第２の局の送信電力ヘッドルームパラメータ、または（, or）、第２の局のバッファステータスレポート、または（, or）（いくつかの例では、少なくとも１つの送信パラメータにおける変更を含む）第２の局の送信パラメータ、または（, or）（いくつかの例では、少なくとも１つの受信パラメータにおける変更を含む）第２の局の受信電力パラメータ、チャネル品質情報、（いくつかの例では、少なくとも１つのリンクパラメータにおける変更を含む）リンクパラメータ、またはそれらの組み合わせ、を識別する第２の情報のうちの少なくとも１つを含む複数の制御パラメータのうちの少なくとも１つを受信し得る。いくつかの例では、１つまたは複数の制御パラメータは、ＰＰＤＵのためのリソースの割り振りに少なくとも部分的に基づいて、複数の制御パラメータに含まれる。いくつかの例では、送信電力ヘッドルームと、複数の制御パラメータのうちの少なくとも１つの他のパラメータとは、制御フィールドの同じ制御情報サブフィールドにおいて受信される。いくつかの例では、送信電力ヘッドルームは、制御フィールドの第１の制御情報サブフィールドにおいて受信され、複数の制御パラメータのうちの少なくとも１つの他のパラメータは、制御フィールドの第２の制御情報サブフィールドにおいて受信される。いくつかの例では、制御フィールドが受信され、および第２の局においてアップリンクマルチユーザモードがディセーブルにされるか否かの第１のインジケーション、または第２の局においてＷＬＡＮ通信のために使用可能な送信空間ストリームの最大数の第２のインジケーション、またはそれらの組み合わせ、のうちの少なくとも１つを備える。いくつかの例では、送信電力ヘッドルームパラメータは、トリガベースのＰＰＤＵの現在のＭＣＳの最小送信電力が第２の局に到達するか否かの第２のインジケーションを備える。ある例では、ブロック１２１０の動作は、図１、６、および７を参照して説明されるワイヤレス通信マネージャ６２０、または図６を参照して説明されるＷＬＡＮフレームプロセッサ６３５によって行われ得る。
【０１３３】
[0130]  ブロック１２１５において、第１の局は、第２の局の少なくとも１つの送信電力ヘッドルームパラメータ、または第２の局のバッファステータスレポート、または第２の局の送信パラメータ、または第２の局の受信パラメータ、またはチャネル品質情報、またはリンクパラメータ、またはそれらの組み合わせ、のうちの少なくとも１つを識別することをさらに含み得る。ある例では、ブロック１２１５の動作は、図１、６、および７を参照して説明されるワイヤレス通信マネージャ６２０、または図６を参照して説明される、送信電力パラメータプロセッサ６４０、ＢＳＲプロセッサ６４５、送信パラメータプロセッサ６５０、受信パラメータプロセッサ６５５、ＣＱＩプロセッサ６６０、またはリンクパラメータプロセッサ６６５によって行われ得る。
【０１３４】
[0131]  方法１２００のいくつかの例では、制御フィールドは、第２の局においてアップリンクマルチユーザモードがディセーブルにされるか否かの第１のインジケーション、または第２の局においてＷＬＡＮ通信のために使用可能な送信空間ストリームの最大数の第２のインジケーション、またはそれらの組み合わせ、のうちの少なくとも１つを含み得る。これらの例のうちのいくつかでは、方法１２００は、アップリンクマルチユーザモードが第２の局においてディセーブルにされることを、送信電力ヘッドルームパラメータから決定することと、送信電力ヘッドルームパラメータを無効と解釈することと、を含み得る。
【０１３５】
[0132]  図１３は、本開示の様々な態様に従った、第１の局（例えば、ＷＬＡＮ ＡＰ局）におけるワイヤレス通信のための方法１３００を例示するフローチャートを示す。方法１３００の動作は、図１〜図３、図６、および図７を参照して説明される局１１５、デバイス６００、またはそのコンポーネントによって実装され得る。例えば、方法１３００の動作は、図１、６、および７を参照して説明されるように、ワイヤレス通信マネージャ６２０によって行われ得る。いくつかの例では、第１の局は、以下に説明される機能を行うために、第１の局の機能的な要素を制御するためのコードのセットを実行し得る。追加的にまたは代替的に、第１の局は、特殊用途ハードウェアを使用して、以下で説明される機能の態様を行い得る。
【０１３６】
[0133]  ブロック１３０５において、第１の局は、第１の局によって送信される要請フレームに応答して第２の局から受信される１つまたは複数のＭＰＤＵを含むＰＰＤＵにおいて、第２の局の送信電力ヘッドルームパラメータ、または第２の局のバッファステータスレポートを識別する第２の情報、または（いくつかの例では、少なくとも１つの送信パラメータにおける変更を含む）第２の局の送信パラメータ、または（いくつかの例では、少なくとも１つの受信パラメータにおける変更を含む）第２の局の受信電力パラメータ、チャネル品質情報、（いくつかの例では、少なくとも１つのリンクパラメータにおける変更を含む）リンクパラメータ、またはそれらの組み合わせ、のうちの少なくとも１つを含む１つまたは複数の制御パラメータ第２の局の送信電力ヘッドルームパラメータ、のうちの少なくとも１つを含む複数の制御パラメータのうちの少なくとも１つを受信し得る。いくつかの例では、１つまたは複数の制御パラメータは、ＰＰＤＵのためのリソースの割り振りに少なくとも部分的に基づいて、複数の制御パラメータに含まれる。いくつかの例では、送信電力ヘッドルームと、複数の制御パラメータのうちの少なくとも１つの他のパラメータとは、制御フィールドの同じ制御情報サブフィールドにおいて受信される。ある例では、ブロック１３０５の動作は、図１、６、および７を参照して説明されるワイヤレス通信マネージャ６２０、または図６を参照して説明されるＷＬＡＮフレームプロセッサ６３５によって行われ得る。
【０１３７】
[0134]  ブロック１３１０において、第１の局は、ＰＰＤＵで搬送される制御フィールドの制御識別サブフィールドにおいて、第１のモード、または第２のモード、または第３のモード、または第４のモード、またはそれらの組み合わせ、から選択された少なくとも１つのモードで制御フィールドが構成されるというインジケーションを受信し得る。いくつかの例では、第１のモードでは、第２の局は、即時肯定応答を搬送するトリガベースのＰＰＤＵのために要請されることを予測する。いくつかの例では、第２のモードでは、第２の局は、第２の局の送信パラメータを識別する。いくつかの例では、第３のモードでは、第２の局は、第２の局の受信パラメータを識別する。いくつかの例では、第４のモードでは、第２の局は、第２の局の送信電力ヘッドルームパラメータを識別する。ある例では、ブロック１３１０の動作は、図１、６、および７を参照して説明されるワイヤレス通信マネージャ６２０、または図６を参照して説明されるＷＬＡＮフレームプロセッサ６３５によって行われ得る。
【０１３８】
[0135]  ブロック１３１５において、第１の局は、第２の局の少なくとも１つの送信電力ヘッドルームパラメータ、または第２の局のバッファステータスレポート、または第２の局の送信パラメータ、または第２の局の受信パラメータ、またはチャネル品質情報、またはリンクパラメータ、またはそれらの組み合わせ、のうちの少なくとも１つを識別し得る。ある例では、ブロック１３１５の動作は、図１、６、および７を参照して説明されるワイヤレス通信マネージャ６２０、または図６を参照して説明される、送信電力パラメータプロセッサ６４０、ＢＳＲプロセッサ６４５、送信パラメータプロセッサ６５０、受信パラメータプロセッサ６５５、ＣＱＩプロセッサ６６０、またはリンクパラメータプロセッサ６６５によって行われ得る。
【０１３９】
[0136]  いくつかの例では、図１２および図１３を参照して説明される方法１２００および１３００の態様は、組み合され得る。
【０１４０】
[0137]  方法８００、９００、１０００、１１００、１２００、および１３００は、可能な（possible）実装を説明しており、動作および方法のステップは、他の実装が可能なように再構成されるか、またはそうでなければ修正され得る。
【０１４１】
[0138]  本明細書での説明は、例を提供しており、特許請求の範囲に記載されている範囲、適用可能性、または例を限定するものではない。本開示の範囲から逸脱することなく、説明される要素の機能および配列において変更がなされ得る。様々な例は、必要に応じて、様々なプロシージャまたはコンポーネントを省略、代用、あるいは追加し得る。また、いくつかの例に関して説明された特徴は、他の例において組み合され得る。
【０１４２】
[0139]  添付された図面に関連して本明細書に記載される説明は、例示的な構成を説明しており、実装され得るまたは特許請求の範囲内にある全ての例を表してはいない。本明細書で使用される「例示的な」という用語は、「好ましい」または「他の例より有利である」ということではなく、「例、事例、または例示としての役割を果たすこと」を意味する。詳細な説明は、説明される技法の理解を提供する目的で、特定の詳細を含む。しかしながら、これらの技法は、これらの特定の詳細がなくとも実施され得る。いくつかの事例では、周知の構造およびデバイスは、説明される例の概念を曖昧にすることを避けるために、ブロック図形式で示されている。
【０１４３】
[0140]  添付された図面では、同様のコンポーネントまたは特徴は、同じ参照ラベルを有し得る。追加的にまたは代替的に、同じタイプの様々なコンポーネントは、参照ラベルの後に、ダッシュと、それらの同様のコンポーネント間を区別する第２のラベルとを続けることによって区別され得る。明細書中で第１の参照ラベルのみが使用される場合、その説明は、第２の参照ラベルに関わらず、同じ第１の参照ラベルを有する同様のコンポーネントのうちの任意の１つに適用可能である。
【０１４４】
[0141]  本明細書で説明される情報および信号は、多様な異なる技術および技法のうちの任意のものを使用して表わされ得る。例えば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１４５】
[0142]  本明細書での開示に関連して説明される様々な例示的なブロックおよびモジュールは、汎用プロセッサ、ＤＳＰ、ＡＳＩＣ、ＦＰＧＡまたは他のプログラマブル論理デバイス、ディスクリートゲートまたはトランジスタ論理、ディスクリートハードウェアコンポーネント、あるいは本明細書に説明される機能を行うために設計されたそれらの任意の組合せを用いて実装されるか、または行われ得る。汎用プロセッサはマイクロプロセッサであり得るが、代替として、プロセッサは、任意の従来のプロセッサ、コントローラ、マイクロコントローラ、またはステートマシンであり得る。プロセッサはまた、コンピューティングデバイスの組み合わせ（例えば、デジタルシグナルプロセッサ（ＤＳＰ）とマイクロプロセッサの組み合わせ、複数のマイクロプロセッサ、ＤＳＰコアと連携した少なくとも１つのマイクロプロセッサ、あるいは任意の他のそのような構成）として実装され得る。
【０１４６】
[0143]  本明細書で説明される機能は、ハードウェア、プロセッサによって実行されるソフトウェア、ファームウェア、またはそれらの任意の組み合わせにおいて実装され得る。プロセッサによって実行されるソフトウェアに実装される場合、機能は、コンピュータ可読媒体上の少なくとも１つの命令またはコードとして送信あるいは記憶され得る。他の例および実装は、本開示および添付された特許請求の範囲内にある。例えば、ソフトウェアの本質により、上述される機能は、プロセッサによって実行されるソフトウェア、ハードウェア、ファームウェア、ハードワイヤリング、またはこれらの任意の組み合わせを使用して実装され得る。機能を実装する特徴はまた、機能の部分が、異なる物理的ロケーションで実装されるように分散されることを含む、様々な場所に物理的に位置付けられ得る。また、請求項を含めて、本明細書で使用されるように、項目のリストにおいて使用される「または」（例えば、「〜のうちの少なくとも１つ」あるいは「〜のうちの１つまたは複数」などのフレーズによって前置きされる項目のリスト）は、例えばＡ、Ｂ、またはＣのうちの少なくとも１つのリストが、ＡまたはＢまたはＣまたはＡＢまたはＡＣまたはＢＣまたはＡＢＣ（すなわち、ＡおよびＢおよびＣ）を意味するように、選言的なリスト（disjunctive list）を示す。
【０１４７】
[0144]  コンピュータ可読媒体は、ある場所から別の場所へのコンピュータプログラムの転送を容易にする任意の媒体を含む通信媒体と非一時的コンピュータ記憶媒体との両方を含む。非一時的記憶媒体は、汎用または特殊用途コンピュータによってアクセスされることができる任意の利用可能な媒体であり得る。限定ではなく例として、非一時的なコンピュータ可読媒体は、ＲＡＭ、ＲＯＭ、電気的消去可能プログラマブル読取専用メモリ（ＥＥＰＲＯＭ（登録商標））、コンパクトディスク（ＣＤ）ＲＯＭまたは他の光ディスク記憶装置、磁気ディスク記憶装置または他の磁気記憶デバイス、あるいはデータ構造または命令の形態で所望のプログラムコード手段を記憶または搬送するために使用されることができ、汎用または特殊用途コンピュータ、あるいは汎用または特殊用途プロセッサによってアクセスされることができる、任意の他の非一時的な媒体を備えることができる。また、いかなる接続もコンピュータ可読媒体と適切に呼ばれる。例えば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるような、ディスク（disk）およびディスク（disc）は、ＣＤ、レーザーディスク（登録商標）、光ディスク、デジタル多目的ディスク（ＤＶＤ）、フロッピー（登録商標）ディスクおよびブルーレイ（登録商標）ディスクを含み、ここでディスク（disks）は、通常磁気的にデータを再生し、一方ディスク（discs）は、レーザーを用いて光学的にデータを再生する。上記の組み合わせもまた、コンピュータ可読媒体の範囲内に含まれる。
【０１４８】
[0145]  本開示の前述の説明は、当業者が本開示を作成または使用することができるように提供される。本開示への様々な修正は当業者には容易に明らかであり、本明細書で定義した一般原理は、本開示の範囲から逸脱することなく他のバリエーションに適用され得る。この開示全体を通して、「例」または「例示的な」という用語は、例または事例を示し、記載された例に対する任意の選好を暗示または要求するものではない。よって、本開示は、本明細書に説明される例および設計に制限されるものではなく、本明細書に開示された原理および新規な特徴に合致する最も広い範囲が与えられるべきものである。
【図１】
2019520767.tif 000011
【図２】
2019520767.tif 000012
【図３】
2019520767.tif 000013
【図４】
2019520767.tif 000014
【図５】
2019520767.tif 000015
【図６】
2019520767.tif 000016
【図７】
2019520767.tif 000017
【図８】
2019520767.tif 000018
【図９】
2019520767.tif 000019
【図１０】
2019520767.tif 000020
【図１１】
2019520767.tif 000021
【図１２】
2019520767.tif 000022
【図１３】
2019520767.tif 000023
【国際調査報告】
2019520767.tif 000024
2019520767.tif 000025
2019520767.tif 000026